(57)【要約】提供されるものは、ハンドオーバ方法および装置である。本方法は、以下のステップ、すなわち、ＵＥがソース基地局によって送信されるＲＲＣ再構成メッセージを受信するステップであって、ＲＲＣ再構成メッセージは、ＵＥによって条件付きハンドオーバを実施するための標的セルのリストを含み、条件付きハンドオーバを実施するための標的セルのリスト内の各標的セルの情報は、以下、すなわち、標的セルの周波数情報、標的セルの物理セル識別子、標的セルによって生成された標的セルの条件付きハンドオーバコマンド、または測定構成識別子情報のうちの少なくとも１つのうちの少なくとも１つを含み、測定構成識別子情報のうちの少なくとも１つは、ＵＥが条件付きハンドオーバを標的セル内で実施するための実行条件を命令するために使用される、ステップと、ＵＥがＲＲＣ再構成メッセージに従ってハンドオーバを実施するステップとを含む。
2021518726.tif 000002
【特許請求の範囲】
【請求項１】
ハンドオーバ方法であって、
ユーザ機器（ＵＥ）によって、ソース基地局によって送信される無線リソース制御（ＲＲＣ）再構成メッセージを受信することであって、前記ＲＲＣ再構成メッセージは、前記ＵＥによって条件付きハンドオーバを実施するための標的セルのリストを含み、前記条件付きハンドオーバを実施するための前記標的セルのリスト内の各標的セルの情報は、以下、すなわち、前記標的セルの周波数情報、前記標的セルの物理セル識別子、前記標的セルによって生成された前記標的セルの条件付きハンドオーバコマンド、または測定構成識別子情報のうちの少なくとも１つのうちの少なくとも１つを含み、前記測定構成識別子情報のうちの少なくとも１つは、前記ＵＥが条件付きハンドオーバを前記標的セル内で実施するための実行条件を命令するために使用される、ことと、
前記ＵＥによって、前記ＲＲＣ再構成メッセージに従って、ハンドオーバを実施することと
を含む、方法。
【請求項２】
前記標的セルの前記条件付きハンドオーバコマンドは、前記標的セルによって、インターフェースメッセージを通して、前記ソース基地局に送信され、
前記インターフェースメッセージは、標的セルの構成リストを含み、前記標的セルの構成リスト内の各標的セルの構成は、前記標的セルのセルグローバル識別子（ＣＧＩ）、前記標的セルの条件付きハンドオーバコマンド、および以下の情報、すなわち、前記標的セル上で正常に認められたプロトコルデータユニット（ＰＤＵ）セッション情報または前記標的セル上で正常に認められた進化型無線アクセスベアラ（Ｅ−ＲＡＢ）情報のうちの１つを含む、
請求項１に記載の方法。
【請求項３】
前記標的セルの前記条件付きハンドオーバコマンドは、前記標的セルによって前記条件付きハンドオーバコマンドに配分されるＲＲＣメッセージトランザクション識別子を含む、請求項１に記載の方法。
【請求項４】
前記条件付きハンドオーバを実施するための前記標的セルのリスト内の各標的セルの情報が、前記測定構成識別子情報のうちの少なくとも１つを含む場合、前記方法はさらに、
前記測定構成識別子情報のうちの少なくとも１つと関連付けられる測定対象構成内の前記標的セルのセル個々のオフセットを修正または増加させること
を含む、請求項１に記載の方法。
【請求項５】
前記条件付きハンドオーバを実施するための前記標的セルのリスト内の各標的セルの情報が、前記測定構成識別子情報のうちの少なくとも１つを含む場合、前記条件付きハンドオーバを実施するための前記標的セルのリスト内の各標的セルの情報はさらに、オフセットまたは閾値を含む、請求項１に記載の方法。
【請求項６】
前記ＵＥが、前記オフセットまたは前記閾値を受信する場合、前記方法はさらに、
前記ＵＥによって、前記オフセットを使用して、前記測定構成識別子情報のうちの少なくとも１つと関連付けられる測定対象構成内のオフセットを置換すること、または前記ＵＥによって、前記閾値を使用して、前記測定構成識別子情報のうちの少なくとも１つと関連付けられる測定対象構成内の閾値を置換すること、または
前記ＵＥによって、前記オフセットと前記測定構成識別子情報のうちの少なくとも１つと関連付けられる測定対象構成内のオフセットの和を計算すること、または前記ＵＥによって、前記閾値と前記測定構成識別子情報のうちの少なくとも１つと関連付けられる測定対象構成内の閾値の和を計算すること
を含む、請求項５に記載の方法。
【請求項７】
前記ＵＥによって、前記ソース基地局によって送信される前記ＲＲＣ再構成メッセージを受信する前に、前記方法はさらに、
前記ＵＥによって、前記ソース基地局によって同一測定イベントのために構成される少なくとも２つのパラメータのセットを受信することを含む、または
前記方法はさらに、
前記ＵＥによって、前記ソース基地局によって同一測定イベントのために構成され、前記ＲＲＣ再構成メッセージ内で搬送される、少なくとも２つのパラメータのセットを受信することを含み、
前記２つのパラメータのセットは、パラメータの第１のセットと、パラメータの第２のセットとを含み、前記パラメータの第１のセットは、前記ＵＥに、条件付きハンドオーバを実施するように命令するために使用され、前記パラメータの第２のセットは、前記ＵＥに、非条件付きハンドオーバを実施するように命令するために使用される、請求項１に記載の方法。
【請求項８】
前記ＵＥによって、前記ＲＲＣ再構成メッセージに従って、前記ハンドオーバを実施することは、
前記ＲＲＣ再構成メッセージ内に含まれる少なくとも１つの標的セルの測定結果が、前記測定構成識別子情報のうちの少なくとも１つと関連付けられる報告構成の報告条件を満たす場合、前記ＵＥが標的セル内で条件付きハンドオーバを実施するための実行条件が満たされたことを決定することと、
前記ＵＥによって、前記標的セルへのハンドオーバを実施することと
を含む、請求項１に記載の方法。
【請求項９】
前記ＵＥによって、前記ソース基地局によって送信される前記ＲＲＣ再構成メッセージを受信後、前記方法はさらに、
前記ＵＥが、ビーム回収失敗または無線リンク失敗がソースセル内で生じていることを決定する場合、前記ＵＥによって、前記標的セルのリストから１つの標的セルを選択することと、
前記ＵＥによって、前記標的セルへのハンドオーバを実施することと
を含む、請求項１に記載の方法。
【請求項１０】
前記ＵＥによって、前記ソース基地局によって送信される前記ＲＲＣ再構成メッセージを受信後、前記方法はさらに、
前記ＵＥによって、ＲＲＣ再構成完了メッセージを前記ソース基地局に返信することを含み、
前記ＲＲＣ再構成完了メッセージは、前記ソース基地局によって前記ＲＲＣ再構成メッセージに配分される、ＲＲＣメッセージトランザクション識別子を搬送する、請求項１に記載の方法。
【請求項１１】
前記ＵＥが、前記ＲＲＣ再構成メッセージに従って、前記ハンドオーバを実施する場合、前記方法はさらに、
前記ＵＥによって、標的セルに、前記標的セルによって前記条件付きハンドオーバコマンドに配分されるＲＲＣメッセージトランザクション識別子を搬送するＲＲＣ再構成完了メッセージを返信することを含む、請求項１に記載の方法。
【請求項１２】
ハンドオーバ方法であって、
ソース基地局によって、無線リソース制御（ＲＲＣ）再構成メッセージをユーザ機器（ＵＥ）に送信することであって、前記ＲＲＣ再構成メッセージは、前記ＵＥによって条件付きハンドオーバを実施するための標的セルのリストを含み、前記条件付きハンドオーバを実施するための前記標的セルのリスト内の各標的セルの情報は、以下、すなわち、前記標的セルの周波数情報、前記標的セルの物理セル識別子、前記標的セルによって生成された前記標的セルの条件付きハンドオーバコマンド、または測定構成識別子情報のうちの少なくとも１つのうちの少なくとも１つを含み、前記測定構成識別子情報のうちの少なくとも１つは、前記ＵＥが条件付きハンドオーバを前記標的セル内で実施するための実行条件を命令するために使用される、こと
を含む、方法。
【請求項１３】
前記標的セルの前記条件付きハンドオーバコマンドは、前記標的セルによって、インターフェースメッセージを通して、前記ソース基地局に送信され、
前記インターフェースメッセージは、標的セルの構成リストを含み、前記標的セルの構成リスト内の各標的セルの構成は、前記標的セルのセルグローバル識別子（ＣＧＩ）、前記標的セルの条件付きハンドオーバコマンド、および以下の情報、すなわち、前記標的セル上で正常に認められたプロトコルデータユニット（ＰＤＵ）セッション情報または前記標的セル上で正常に認められた進化型無線アクセスベアラ（Ｅ−ＲＡＢ）情報のうちの１つを含む、請求項１２に記載の方法。
【請求項１４】
標的セルが、前記ＵＥによって送信されるサウンディング基準信号（ＳＲＳ）を受信後、条件付きハンドオーバコマンド内に構成される前記標的セルのアップリンクグラントは、有効化状態を開始する、または前記標的セルがスケジューリングを開始することを可能にすること、または
標的セルが、前記ＲＲＣ再構成メッセージを生成後、タイマを開始し、前記タイマが切れた後、条件付きハンドオーバコマンド内に構成される前記標的セルのアップリンクグラントは、有効化状態を開始する、または前記標的セルがスケジューリングを開始することを可能にすること
をさらに含む、請求項１２に記載の方法。
【請求項１５】
ユーザ機器（ＵＥ）に適用されるハンドオーバ装置であって、
前記ＵＥがソース基地局によって送信される無線リソース制御（ＲＲＣ）再構成メッセージを受信するために構成される受信モジュールであって、前記ＲＲＣ再構成メッセージは、前記ＵＥによって条件付きハンドオーバを実施するための標的セルのリストを含み、前記条件付きハンドオーバを実施するための前記標的セルのリスト内の各標的セルの情報は、以下、すなわち、前記標的セルの周波数情報、前記標的セルの物理セル識別子、前記標的セルによって生成された前記標的セルの条件付きハンドオーバコマンド、または測定構成識別子情報のうちの少なくとも１つのうちの少なくとも１つを含み、前記測定構成識別子情報のうちの少なくとも１つは、前記ＵＥが条件付きハンドオーバを前記標的セル内で実施するための実行条件を命令するために使用される、受信モジュールと、
前記ＲＲＣ再構成メッセージに従って、ハンドオーバを実施するように構成される、ハンドオーバモジュールと
を備える、ハンドオーバ装置。
【請求項１６】
基地局に適用されるハンドオーバ装置であって、
無線リソース制御（ＲＲＣ）再構成メッセージをユーザ機器（ＵＥ）に送信するように構成されるハンドオーバモジュールであって、前記ＲＲＣ再構成メッセージは、前記ＵＥによって条件付きハンドオーバを実施するための標的セルのリストを含み、前記条件付きハンドオーバを実施するための前記標的セルのリスト内の各標的セルの情報は、以下、すなわち、前記標的セルの周波数情報、前記標的セルの物理セル識別子、前記標的セルによって生成された前記標的セルの条件付きハンドオーバコマンド、または測定構成識別子情報のうちの少なくとも１つのうちの少なくとも１つを含み、前記測定構成識別子情報のうちの少なくとも１つは、前記ＵＥが条件付きハンドオーバを前記標的セル内で実施するための実行条件を命令するために使用される、ハンドオーバモジュール
を備える、ハンドオーバ装置。
【請求項１７】
コンピュータプログラムを記憶する記憶媒体であって、前記コンピュータプログラムは、実行されると、請求項１−１１または請求項１２−１４のいずれか１項に記載の方法を実施するように構成される、記憶媒体。
【請求項１８】
メモリと、プロセッサとを備える電子デバイスであって、前記メモリは、コンピュータプログラムを記憶し、前記プロセッサは、前記コンピュータプログラムを実行し、請求項１−１１または請求項１２−１４のいずれか１項に記載の方法を実施するように構成される、電子デバイス。
【発明の詳細な説明】
【技術分野】
【０００１】
本願は、その内容が、参照することによってその全体として本明細書に組み込まれる、２０１８年５月１４日にＣＮＩＰＡに出願された、中国特許出願第２０１８１０４５６４７６．４号の優先権を主張する。
【０００２】
本開示は、通信の分野に関し、具体的には、ハンドオーバ方法および装置に関する。
【背景技術】
【０００３】
モビリティ性能は、無線通信システムにおける最も重要なインジケータのうちの１つである。業界は、無線通信システムにおけるモビリティ性能を改良するために貢献している。例えば、第３世代パートナーシッププロジェクト（３ＧＰＰ）は、ハンドオーバ失敗確率、ピンポン確率、および同等物を低減させる方法を含む、モビリティ性能を改良するための方法について持続的に議論および評価を行っている。
【０００４】
無線信号品質に基づくハンドオーバにおけるロングタームエボリューション（ＬＴＥ）のハンドオーバプロセスを実施例として取り上げると、基本ハンドオーバまたはメークビフォアブレーク（ＭＢＢ）ハンドオーバまたはランダムアクセスチャネルレスハンドオーバ（ＲＡＣＨ−ｌｅｓｓＨＯ）等の拡張ハンドオーバプロセスは、「実際のハンドオーバ／モビリティ条件」が満たされるときのみ、トリガされる。すなわち、ハンドオーバコマンドは、「実際のハンドオーバ条件」が満たされるときのみ、ユーザ機器（ＵＥ）に送信される。ここでは、「実際のハンドオーバ条件」は、標的セルの信号品質が、ＵＥが標的セルへの切替後に正常通信を実施し得るように十分に良好であることを指す。逆に言えば、ＵＥが、ソースセル上に留まり続ける場合、無線リンク失敗が、引き起こされ得る。ＬＴＥシステムでは、「実際のハンドオーバ条件」は、信号品質が、Ａ３イベント（近傍セルの信号品質が、サービングセルの信号品質より１オフセットだけ高い）、Ａ４イベント（近傍セルの信号品質が、閾値より高い）、Ａ５イベント（サービングセルの信号品質が、閾値１より低く、近傍セルの信号品質が、閾値２より高い）、または同等物を満たすことであり得る。「実際のハンドオーバ条件」のＡ３イベントのオフセットおよびＡ４／Ａ５イベントの閾値等のパラメータの再構成は、通常、ネットワーク計画およびネットワーク最適化後に決定される。
【０００５】
「実際のハンドオーバ条件」が満たされるときのみハンドオーバがトリガされる機構は、元々は、同種低周波数ネットワークのために設計されたものである。しかしながら、ネットワークの進化に伴って、異種ネットワーク（ＨｅｔＮｅｔ）も、同種ネットワークに加え、展開され、例えば、マイクロセルが、従来的マクロセルのカバレッジ範囲内に展開される。加えて、第５世代モバイルネットワーク（５Ｇ）システムでは、１００ＧＨｚまでの高周波数が、低周波数に加え、使用されるであろう。５Ｇシステムでは、セルの展開は、より稠密になり、セルのカバレッジ範囲は、５Ｇ前のシステムと比較して、より小さくなる。これは、５Ｇシステムにおけるハンドオーバ（モビリティ）周波数を以前のシステムより頻繁にさせる。加えて、評価後、測定報告の伝送およびハンドオーバコマンドは、５Ｇシステムでは、失敗する可能性がより高いことが見出される。より頻繁なハンドオーバおよび測定報告およびハンドオーバコマンドのより高い失敗確率は、５Ｇシステムでは、最終的に、より高いハンドオーバ失敗確率、より高いピンポン確率、より高い無線リンク失敗確率、および同等物につながる。
【０００６】
関連技術における測定報告またはハンドオーバコマンドの伝送失敗によって引き起こされるハンドオーバ失敗の問題に照らして、効果的ソリューションは、提案されていない。
【発明の概要】
【発明が解決しようとする課題】
【０００７】
本開示の実施形態は、少なくとも、関連技術における測定報告またはハンドオーバコマンドの伝送失敗によって引き起こされるハンドオーバ失敗の問題を解決するための、ハンドオーバ方法および装置を提供する。
【課題を解決するための手段】
【０００８】
本開示の実施形態は、ハンドオーバ方法を提供する。本方法は、以下のステップ、すなわち、ＵＥがソース基地局によって送信される無線リソース制御再構成メッセージを受信するステップであって、無線リソース制御再構成メッセージは、ＵＥによって条件付きハンドオーバを実施するための標的セルのリストを含み、条件付きハンドオーバを実施するための標的セルのリスト内の各標的セルの情報は、以下、すなわち、標的セルの周波数情報、標的セルの物理セル識別子、標的セルによって生成された標的セルの条件付きハンドオーバコマンド、または測定構成識別子情報のうちの少なくとも１つのうちの少なくとも１つを含み、測定構成識別子情報のうちの少なくとも１つは、ＵＥが条件付きハンドオーバを標的セル内で実施するための実行条件を命令するために使用される、ステップと、ＵＥが無線リソース制御再構成メッセージに従ってハンドオーバを実施するステップとを含む。
【０００９】
本開示の別の実施形態は、ハンドオーバ方法を提供する。本方法は、以下のステップ、すなわち、ソース基地局が無線リソース制御再構成メッセージをＵＥに送信するステップであって、無線リソース制御再構成メッセージは、ＵＥによって条件付きハンドオーバを実施するための標的セルのリストを含み、条件付きハンドオーバを実施するための標的セルのリスト内の各標的セルの情報は、以下、すなわち、標的セルの周波数情報、標的セルの物理セル識別子、標的セルによって生成された標的セルの条件付きハンドオーバコマンド、または測定構成識別子情報のうちの少なくとも１つのうちの少なくとも１つを含み、測定構成識別子情報のうちの少なくとも１つは、ＵＥが条件付きハンドオーバを標的セル内で実施するための実行条件を命令するために使用される、ステップを含む。
【００１０】
本開示の別の実施形態は、ハンドオーバ装置を提供する。本装置は、ＵＥに適用され、受信モジュールと、第１のハンドオーバモジュールとを含む。受信モジュールは、ＵＥがソース基地局によって送信される無線リソース制御再構成メッセージを受信するために構成され、無線リソース制御再構成メッセージは、ＵＥによって条件付きハンドオーバを実施するための標的セルのリストを含み、条件付きハンドオーバを実施するための標的セルのリスト内の各標的セルの情報は、以下、すなわち、標的セルの周波数情報、標的セルの物理セル識別子、標的セルによって生成された標的セルの条件付きハンドオーバコマンド、または測定構成識別子情報のうちの少なくとも１つのうちの少なくとも１つを含み、測定構成識別子情報のうちの少なくとも１つは、ＵＥが条件付きハンドオーバを標的セル内で実施するための実行条件を命令するために使用される。第１のハンドオーバモジュールは、無線リソース制御再構成メッセージに従って、ハンドオーバを実施するように構成される。
【００１１】
本開示の別の実施形態は、ハンドオーバ装置を提供する。本装置は、基地局に適用され、第２のハンドオーバモジュールを含む。第２のハンドオーバモジュールは、無線リソース制御再構成メッセージをＵＥに送信するように構成され、無線リソース制御再構成メッセージは、ＵＥによって条件付きハンドオーバを実施するための標的セルのリストを含み、条件付きハンドオーバを実施するための標的セルのリスト内の各標的セルの情報は、以下、すなわち、標的セルの周波数情報、標的セルの物理セル識別子、標的セルによって生成された標的セルの条件付きハンドオーバコマンド、または測定構成識別子情報のうちの少なくとも１つのうちの少なくとも１つを含み、測定構成識別子情報のうちの少なくとも１つは、ＵＥが条件付きハンドオーバを標的セル内で実施するための実行条件を命令するために使用される。
【００１２】
本開示の別の実施形態はさらに、記憶媒体を提供する。記憶媒体は、コンピュータプログラムを記憶する。コンピュータプログラムは、実行されると、上記に説明される任意の方法実施形態のステップを実施するように構成される。
【００１３】
本開示の別の実施形態はさらに、電子デバイスを提供する。電子デバイスは、メモリと、プロセッサとを含む。メモリは、コンピュータプログラムを記憶する。プロセッサは、コンピュータプログラムを実行し、上記に説明される任意の方法実施形態におけるステップを実施するように構成される。
【００１４】
本開示によると、ＵＥは、ソース基地局によって送信される無線リソース制御再構成メッセージを受信し、無線リソース制御再構成メッセージは、ＵＥによって条件付きハンドオーバを実施するための標的セルのリストを含み、条件付きハンドオーバを実施するための標的セルのリスト内の各標的セルの情報は、以下、すなわち、標的セルの周波数情報、標的セルの物理セル識別子、標的セルによって生成された標的セルの条件付きハンドオーバコマンド、または測定構成識別子情報のうちの少なくとも１つのうちの少なくとも１つを含み、測定構成識別子情報のうちの少なくとも１つは、ＵＥが条件付きハンドオーバを標的セル内で実施し、ＵＥが無線リソース制御再構成メッセージに従ってハンドオーバを実施するための実行条件を命令するために使用される。すなわち、１つのみの標的セルが選択される、既存の条件付きハンドオーバと比較して、本開示では、標的セルのリストが、構成され、１つの標的セルが、複数の標的セルから選択され、したがって、関連技術における測定報告またはハンドオーバコマンドの伝送失敗によって引き起こされるハンドオーバ失敗の問題を解決し、モビリティ性能を改良する。
【００１５】
本明細書に説明される図面は、本開示のさらなる理解を提供するために使用され、本願の一部を形成する。本開示における例証的実施形態およびその説明は、本開示を解説するために使用され、本開示を不適切な様式において限定することを意図するものではない。
【図面の簡単な説明】
【００１６】
【図１】図１は、本開示の実施形態による、ハンドオーバ方法のフローチャートである。
【図２】図２は、本開示の実施形態による、別のハンドオーバ方法のフローチャートである。
【図３】図３は、本開示の随意の実施形態による、ハンドオーバシナリオの概略図１である。
【図４】図４は、関連ハンドオーバ技術の失敗のフローチャートである。
【図５】図５は、本開示の随意の実施形態による、条件付きハンドオーバのハンドオーバフローチャートである。
【図６】図６は、本開示の随意の実施形態による、条件付きハンドオーバのハンドオーバ準備フローチャートである。
【図７】図７は、本開示の随意の実施形態による、ハンドオーバシナリオの概略図２である。
【図８】図８は、本開示の随意の実施形態４による、実装フローチャートである。
【図９】図９は、本開示の随意の実施形態５による、実装フローチャートである。
【図１０】図１０は、本開示の随意の実施形態６による、ソリューション１の実装フローチャートである。
【図１１】図１１は、本開示の随意の実施形態６による、ソリューション２の実装フローチャートである。
【図１２】図１２は、本開示の実施形態による、ハンドオーバ装置の構造ブロック図である。
【図１３】図１３は、本開示の実施形態による、別のハンドオーバ装置の構造ブロック図である。
【発明を実施するための形態】
【００１７】
本開示は、以降、図面を参照して、実施形態と併せて、詳細に説明されるであろう。矛盾しない場合、本願における実施形態およびその特徴は、相互に組み合わせられてもよいことに留意されたい。
【００１８】
本開示の説明、請求項、および前述の図面における、用語「第１」、「第２」、および同等物は、類似オブジェクト間で区別するために使用され、必ずしも、特定の順序またはシーケンスを説明するために使用されるものではないことに留意されたい。
【００１９】
実施形態１
本実施形態は、ハンドオーバ方法を提供する。図１は、本開示の実施形態による、ハンドオーバ方法のフローチャートである。図１に示されるように、プロセスは、下記に説明されるステップを含む。
【００２０】
ステップＳ１０２では、ＵＥが、ソース基地局によって送信される無線リソース制御再構成メッセージを受信する。無線リソース制御再構成メッセージは、ＵＥによって条件付きハンドオーバを実施するための標的セルのリストを含む。条件付きハンドオーバを実施するための標的セルのリスト内の各標的セルの情報は、以下、すなわち、標的セルの周波数情報、標的セルの物理セル識別子、標的セルによって生成された標的セルの条件付きハンドオーバコマンド、または測定構成識別子情報のうちの少なくとも１つのうちの少なくとも１つを含む。測定構成識別子情報は、ＵＥが条件付きハンドオーバを標的セル内で実施するための実行条件を命令するために使用される。
【００２１】
ステップＳ１０４では、ＵＥが、無線リソース制御再構成メッセージに従って、ハンドオーバを実施する。
【００２２】
前述のステップを通して見ると、１つのみの標的セルが選択される、既存の条件付きハンドオーバと比較して、本開示では、標的セルのリストが、構成され、１つの標的セルが、複数の標的セルから選択され、したがって、関連技術における測定報告またはハンドオーバコマンドの伝送失敗によって引き起こされるハンドオーバ失敗の問題を解決し、モビリティ性能を改良する。
【００２３】
随意の実装では、標的セルの条件付きハンドオーバコマンドが、標的セルによって、インターフェースメッセージを通して、ソース基地局に送信される。インターフェースメッセージは、標的セルの構成リストを含む。標的セルの構成リスト内の各標的セルの構成は、標的セルのセルグローバル識別子（ＣＧＩ）、標的セルの条件付きハンドオーバコマンド、および以下の情報、すなわち、標的セル上で正常に認められたプロトコルデータユニット（ＰＤＵ）セッション情報、または標的セル上で正常に認められた進化型無線アクセスベアラ（Ｅ−ＲＡＢ）情報のうちの１つを含む。
【００２４】
随意に、標的セルの条件付きハンドオーバコマンドは、標的セルによって、条件付きハンドオーバコマンドに配分される、無線リソース制御（ＲＲＣ）メッセージトランザクション識別子を含む。
【００２５】
随意に、条件付きハンドオーバを実施するための標的セルのリスト内の各標的セルの情報が、測定構成識別子情報のうちの少なくとも１つを含む場合、本方法はさらに、以下のステップ、すなわち、測定構成識別子情報と関連付けられる測定対象構成内の標的セルのセル個々のオフセットが、修正または増加されるステップを含む。
【００２６】
随意に、条件付きハンドオーバを実施するための標的セルのリスト内の各標的セルの情報が、測定構成識別情報のうちの少なくとも１つを含む場合、条件付きハンドオーバを実施するための標的セルのリスト内の各標的セルの情報はさらに、オフセットまたは閾値を含む。
【００２７】
随意に、ＵＥが、オフセットまたは閾値を受信すると、本方法はさらに、以下のステップ、すなわち、ＵＥが、そのオフセットを使用して、測定構成識別子情報と関連付けられる測定対象構成内のオフセットを置換するステップ、またはＵＥは、その閾値を使用して、測定構成識別子情報と関連付けられる測定対象構成内の閾値を置換するステップ、またはＵＥが、そのオフセットと測定構成識別子情報と関連付けられる測定対象構成内のオフセットの和を計算するステップ、またはＵＥが、その閾値と測定構成識別子情報と関連付けられる測定対象構成内の閾値の和を計算するステップを含む。
【００２８】
随意に、ＵＥが、ソース基地局によって送信される無線リソース制御再構成メッセージを受信するステップの前に、本方法はさらに、以下のステップ、すなわち、ＵＥが、ソース基地局によって同一測定イベントのために構成される少なくとも２つのパラメータのセットを受信するステップを含む、または本方法はさらに、以下のステップ、すなわち、ＵＥが、ソース基地局によって同一測定イベントのために構成され、無線リソース制御再構成メッセージ内で搬送される、少なくとも２つのパラメータのセットを受信するステップを含む。２つのパラメータのセットは、パラメータの第１のセットと、パラメータの第２のセットとを含む。パラメータの第１のセットは、ＵＥに、条件付きハンドオーバを実施するように命令するために使用される。パラメータの第２のセットは、ＵＥに、非条件付きハンドオーバを実施するように命令するために使用される。
【００２９】
前述の同一測定イベントは、測定構成識別子情報と関連付けられる測定報告構成内に構成される測定イベントであり得ることに留意されたい。
【００３０】
随意に、ＵＥが、無線リソース制御再構成メッセージに従ってハンドオーバを実施する、ステップは、以下のステップ、すなわち、無線リソース制御再構成メッセージ内に含まれる少なくとも１つの標的セルの測定結果が、測定構成識別子情報と関連付けられる報告構成の報告条件を満たす場合、ＵＥが条件付きハンドオーバを標的セル内で実施するための実行条件が満たされたと決定され、ＵＥが、標的セルへのハンドオーバを実施するステップを含む。
【００３１】
随意に、ＵＥが、ソース基地局によって送信される無線リソース制御再構成メッセージを受信するステップ後、本方法はさらに、以下のステップ、すなわち、ＵＥが、ビーム回収失敗または無線リンク失敗がソースセル内で生じていることを決定する場合、ＵＥが、標的セルのリストから１つの標的セルを選択し、ＵＥが、１つの標的セルへのハンドオーバを実施するステップを含む。
【００３２】
随意に、ＵＥが、ソース基地局によって送信される無線リソース制御再構成メッセージを受信するステップ後、本方法はさらに、以下のステップ、すなわち、ＵＥが無線リソース制御再構成完了メッセージをソース基地局に返信するステップを含む。無線リソース制御再構成完了メッセージは、ソース基地局によって無線リソース制御再構成メッセージに配分される、ＲＲＣメッセージトランザクション識別子を搬送する。
【００３３】
随意に、ＵＥが、無線リソース制御再構成メッセージに従って、ハンドオーバを実施すると、本方法はさらに、以下のステップ、すなわち、ＵＥが、標的セルに、標的セルによって条件付きハンドオーバコマンドに配分される、ＲＲＣメッセージトランザクション識別子を搬送する、無線リソース制御再構成完了メッセージを返信するステップを含む。
【００３４】
本実施形態はさらに、ハンドオーバ方法を提供する。図２は、本開示の実施形態による、別のハンドオーバ方法のフローチャートである。図２に示されるように、プロセスは、下記に説明されるステップを含む。
【００３５】
ステップＳ２０２では、ソース基地局が、無線リソース制御再構成メッセージをＵＥに送信する。無線リソース制御再構成メッセージは、ＵＥによって条件付きハンドオーバを実施するための標的セルのリストを含む。条件付きハンドオーバを実施するための標的セルのリスト内の各標的セルの情報は、以下、すなわち、標的セルの周波数情報、標的セルの物理セル識別子、標的セルによって生成された標的セルの条件付きハンドオーバコマンド、または測定構成識別子情報のうちの少なくとも１つのうちの少なくとも１つを含む。測定構成識別子情報は、ＵＥが条件付きハンドオーバを標的セル内で実施するための実行条件を命令するために使用される。
【００３６】
前述のステップを通して見ると、１つのみの標的セルが選択される、既存の条件付きハンドオーバと比較して、本開示では、標的セルのリストが、構成され、１つの標的セルが、複数の標的セルから選択され、したがって、関連技術における測定報告またはハンドオーバコマンドの伝送失敗によって引き起こされるハンドオーバ失敗の問題を解決し、モビリティ性能を改良する。
【００３７】
随意の実装では、標的セルの条件付きハンドオーバコマンドは、標的セルによって、インターフェースメッセージを通して、ソース基地局に送信される。インターフェースメッセージは、標的セルの構成リストを含む。標的セルの構成リスト内の各標的セルの構成は、標的セルのＣＧＩ、標的セルの条件付きハンドオーバコマンド、および以下の情報、すなわち、標的セル上で正常に認められたＰＤＵセッション情報、または標的セル上で正常に認められたＥ−ＲＡＢ情報のうちの１つを含む。
【００３８】
随意に、本方法はさらに、以下のステップ、すなわち、標的セルが、ＵＥによって送信されるサウンディング基準信号（ＳＲＳ）を受信後、条件付きハンドオーバコマンド内に構成される標的セルのアップリンクグラントが、有効化状態を開始する、または標的セルが、スケジューリングを開始するステップ、または標的セルが、無線リソース制御再構成メッセージを生成後、タイマが、開始され、タイマが切れた後、条件付きハンドオーバコマンド内に構成される標的セルのアップリンクグラントが、有効化状態を開始する、または標的セルが、スケジューリングを開始するステップを含む。
【００３９】
本実施形態は、一例として、随意の実施形態および実施例と併せて、下記に説明される。
【００４０】
図３は、可能性として考えられるハンドオーバシナリオの概略図である。図３では、ＵＥが、セル１からセル２に移動する。既存のハンドオーバ技術では、ハンドオーバプロセスは、「実際のハンドオーバ条件」（例えば、図３における点Ｂ）が満たされるときのみ、開始される。５Ｇシステムでは、セルの稠密展開および高周波数の使用に起因して、既存のハンドオーバ技術を使用することは、ハンドオーバ失敗を容易に引き起こすであろう。図４は、既存のハンドオーバ技術によって引き起こされる、可能性として考えられるハンドオーバ失敗のフローチャートである。図４に示されるように、ＵＥが、図３に示される点Ｂに移動し、「実際のハンドオーバ条件」が満たされることを決定すると、ＵＥは、測定報告をソース基地局に送信する（Ｓ２１０）。ソース基地局が、測定報告を受信後、ソース基地局は、標的基地局に、ハンドオーバ準備を実施するように通知を開始する（Ｓ２２０）。ハンドオーバ要求確認応答メッセージを標的基地局（Ｓ２３０）から受信後、ソース基地局は、ハンドオーバコマンドをＵＥに送信する（Ｓ２４０）。しかしながら、ソース基地局の信号品質は、本時点で非常に不良となっているため、ハンドオーバコマンドの伝送は、失敗する。ある時間周期後、ＵＥは、ソース基地局において、無線リンク失敗を被る（Ｓ２５０）。
【００４１】
既存のハンドオーバ技術を５Ｇシステムに適用することによって引き起こされる、望ましくないハンドオーバ性能の問題を克服するために、業界は、条件付きハンドオーバを提案しており、これは、アドバンスハンドオーバー準備とも称され得る。条件付きハンドオーバの全体的ハンドオーバプロセスは、図５に示されるようなものであって、下記に説明されるステップを含む。
【００４２】
ステップＳ３１０では、ＵＥが、「アドバンスハンドオーバー準備条件」（または「条件付きハンドオーバトリガ条件」と称され得る）を満たすと、ＵＥが、測定報告をソース基地局に送信する。
【００４３】
「アドバンスハンドオーバー準備条件」を満たす、セルの情報が、測定報告内に報告される。情報は、物理セル識別子（ＰＣＩ）等のセル識別子、セルの測定結果、セル内で報告条件を満たすビームの測定結果、および同等物を含む。ここでのビームの測定結果は、ある単一測定基準信号の測定結果を指す一方、セルの測定結果は、平均された後のセル内の複数の測定基準信号の測定結果である。測定基準信号は、例えば、同期信号（ＳＳ）ブロック、チャネル状態情報基準信号（ＣＳＩ−ＲＳ）を含む。
【００４４】
「アドバンスハンドオーバー準備条件」は、基地局によって、ＵＥのために構成される。「アドバンスハンドオーバー準備条件」は、「実際のハンドオーバ条件」が満たされる前に満たされる。例えば、「アドバンスハンドオーバー準備条件」は、図３における点Ａにおいて満たされる。
【００４５】
ステップＳ３２０では、ソース基地局が、ハンドオーバ要求を標的基地局に送信する。
【００４６】
ソース基地局が、測定報告を受信後、ソース基地局は、測定報告に従って、ハンドオーバ要求を、「アドバンスハンドオーバー準備条件」を満たす、標的セルに送信する。ハンドオーバ要求は、ソース基地局におけるＵＥの関連構成情報、標的セルのセル個々の測定結果、および標的セルのビーム測定結果を含む。
【００４７】
ステップＳ３３０では、標的基地局が、ハンドオーバ要求確認応答をソース基地局に返信する。
【００４８】
ハンドオーバ要求確認応答は、ＵＥに送信される条件付きハンドオーバコマンドを含む。条件付きハンドオーバコマンドは、標的セル情報、標的セルにアクセスするためにＵＥによって要求される情報、「条件付きハンドオーバ実行条件」、および同等物を含む。標的セル情報は、標的セルのＰＣＩおよび標的セルによって使用される周波数情報を含む。標的セルにアクセスするためにＵＥによって要求される情報は、ＵＥがランダムアクセスの様式において標的セルにアクセスするためのランダムアクセス構成情報、標的セルのパブリック構成情報、標的セルによってＵＥのために構成される具体的構成情報、および同等物を含む。
【００４９】
ステップＳ３４０では、ソース基地局が、条件付きハンドオーバコマンドをＵＥに送信する。
【００５０】
ステップＳ３５０では、ＵＥが、条件付きハンドオーバ完了メッセージをソース基地局に送信する。
【００５１】
ＵＥが、条件付きハンドオーバコマンドを受信後、ＵＥは、直ちにハンドオーバを実施せず、ソースセル上に留まり続ける。ＵＥは、条件付きハンドオーバコマンドに示される標的セルを測定し続ける。
【００５２】
ステップＳ３６０では、標的セルが、「条件付きハンドオーバ実行条件」を満たす。
【００５３】
図３に示されるように、ＵＥが、点Ｂに移動すると、セル２は、「条件付きハンドオーバ実行条件」を満たす。
【００５４】
ステップＳ３７０では、ＵＥが、セル２にアクセスする。例えば、ＵＥは、ランダムアクセスの様式において、セル２にアクセスする。
【００５５】
Ｓ３４０では、ＵＥが、条件付きハンドオーバ成功メッセージを標的セルに送信する。
【００５６】
条件付きハンドオーバでは、ハンドオーバ準備プロセスは、「実際のハンドオーバ条件」が満たされる前に完了され、ハンドオーバコマンドが、ソースセルの信号品質が、十分に良好となる前にＵＥに送信され、したがって、関連技術における測定報告またはハンドオーバコマンドの伝送失敗によって引き起こされるハンドオーバ失敗を回避し、事実上、モビリティ性能を改良する。
【００５７】
本開示における条件付きハンドオーバを実装するための重要な技法が、詳細な随意の実施形態とともに下記に説明される。
【００５８】
随意の実施形態１
条件付きハンドオーバでは、測定報告またはハンドオーバコマンドの伝送失敗を回避するために、ＵＥは、「実際のハンドオーバ条件」が満たされる前に、すなわち、「アドバンスハンドオーバー準備条件」が満たされると、測定報告を報告する。本目的を達成するために、「アドバンスハンドオーバー準備条件」は、「実際のハンドオーバ条件」より緩和される。Ａ４イベント（近傍セルの信号品質は、閾値より高い）の構成を実施例として取り上げると、「実際のハンドオーバ条件」が満たされる閾値が、Ｔｈ１であって、「アドバンスハンドオーバー準備条件」が満たされる閾値が、Ｔｈ２である場合、Ｔｈ２＜Ｔｈ１が、構成される。「アドバンスハンドオーバー準備条件」の閾値が、「実際のハンドオーバ条件」の閾値より低いため、「実際のハンドオーバ条件」と比較して、「アドバンスハンドオーバー準備」条件を同時に満たす、複数の近傍セルが存在する。図６は、条件付きハンドオーバのハンドオーバ準備フローチャートである。プロセスは、下記に説明されるステップを含む。
【００５９】
ステップＳ４１０／Ｓ４１０’では、ＵＥが、「アドバンスハンドオーバー準備条件」を満たすと、ＵＥは、測定報告をソース基地局に報告する。
【００６０】
基地局が、測定を構成するとき、基地局は、周波数を測定対象として構成する。異なる周波数が、異なる測定対象として構成される。異なる周波数におけるセルが、「アドバンスハンドオーバー準備条件」を満たし、セルは、その個別の測定報告を報告する。ある周波数上で「アドバンスハンドオーバー準備条件」を満たす、全てのセルの情報が、測定報告において報告される。例えば、ソース基地局はそれぞれ、周波数Ｆ１およびＦ２に関する測定を構成する。Ｆ１は、測定対象１に対応する。Ｆ２は、測定対象２に対応する。本実施形態では、Ｆ１上のセルおよびＦ２上のセルが、ほぼ同時に、測定報告を次々にトリガし、したがって、ＵＥは、それぞれ、２つの測定報告Ｓ４１０およびＳ４１０’を報告する。Ｆ１およびＦ２上で「アドバンスハンドオーバー準備条件」を満たす、全てのセルの情報が、測定報告において報告される。
【００６１】
ステップＳ４２０／４２０’では、ソース基地局が、ハンドオーバ要求を標的基地局に送信する。
【００６２】
本実施形態では、ソース基地局は、ステップＳ４１０／Ｓ４１０’において受信された測定報告に従って、「アドバンスハンドオーバー準備条件」を満たすセルが、別個に、標的基地局Ｔ−ｇＮＢ１および標的基地局Ｔ−ｇＮＢ２上に位置することを決定する。ソース基地局は、標的基地局Ｔ−ｇＮＢ１およびＴ−ｇＮＢ２へのハンドオーバ要求を開始する。各ハンドオーバ要求は、ソース基地局上のＵＥの関連構成情報に加え、標的セルのリストを含む。標的セルのリストは、少なくとも各標的セルのＣＧＩを含み、さらに、各標的セルの測定結果を含んでもよい。
【００６３】
ステップＳ４３０／４３０’では、標的基地局が、ハンドオーバ要求確認応答をソース基地局に返信する。
【００６４】
ハンドオーバ要求確認応答は、標的セルの構成リストを含む、すなわち、標的基地局によって認められ、ハンドオーバ構成が正常に完了された、標的セルの構成情報を含む。標的セルの構成リストは、各標的セルのＣＧＩ、各標的セル上で正常に認められたＰＤＵセッション情報（ＵＥが、５Ｇコアネットワークにアクセスする場合）またはＥ−ＲＡＢ情報（ＵＥが、ＬＴＥコアネットワークにアクセスする場合）、および各標的セルの条件付きハンドオーバコマンドを含む。条件付きハンドオーバコマンドは、標的セルによって生成される。例えば、標的セルは、ＲＲＣ再構成メッセージ（ＲＲＣＲｅｃｏｎｆｉｇｕｒａｔｉｏｎ）を生成し、生成されたＲＲＣＲｅｃｏｎｆｉｇｕｒａｔｉｏｎは、直接、文字フロー（ＯＣＴＥＴＳＴＲＩＮＧ）の形態（またはコンテナの形態とも称される）において、ハンドオーバ要求確認応答内に含まれる。各標的セルによって生成されたＲＲＣＲｅｃｏｎｆｉｇｕｒａｔｉｏｎメッセージは、標的セルによってＲＲＣＲｅｃｏｎｆｉｇｕｒａｔｉｏｎに配分される、ＲＲＣメッセージトランザクション識別子（ｒｒｃ−ＴｒａｎｓａｃｔｉｏｎＩｄｅｎｔｉｆｉｅｒ）を含む。
【００６５】
ステップＳ４４０では、ソース基地局が、条件付きハンドオーバコマンドをＵＥに送信する。
【００６６】
ソース基地局は、条件付きハンドオーバコマンドをＵＥに送信する。条件付きハンドオーバコマンドは、ソース基地局によって生成されたＲＲＣＲｅｃｏｎｆｉｇｕｒａｔｉｏｎ内に含まれる。１つのＲＲＣＲｅｃｏｎｆｉｇｕｒａｔｉｏｎが、複数の標的セルの条件付きハンドオーバコマンドを含んでもよい。すなわち、ＲＲＣＲｅｃｏｎｆｉｇｕｒａｔｉｏｎは、条件付きハンドオーバのための標的セルのリストを含む。条件付きハンドオーバのための標的セルのリストは、各標的セルの周波数情報および各標的セルのＰＣＩ、標的セルによって生成された標的セルの条件付きハンドオーバコマンド、および標的セルの「条件付きハンドオーバ実行条件」の測定構成を示す識別子情報のうちの少なくとも１つを含む。標的セルの周波数情報は、絶対無線周波数チャネル番号（ＡＲＦＣＮ）によって識別される。標的セルの「条件付きハンドオーバ実行条件」の測定構成を示す識別子情報は、測定識別（ｍｅａｓＩＤ）によって識別されてもよい。１つのｍｅａｓＩＤが、１つの測定対象および１つの報告構成と関連付けられる。ＵＥは、ｍｅａｓＩＤを通して、標的セルの「条件付きハンドオーバ実行条件」を決定し得る。ソース基地局によって生成されたＲＲＣＲｅｃｏｎｆｉｇｕｒａｔｉｏｎは、ソース基地局によってＲＲＣＲｅｃｏｎｆｉｇｕｒａｔｉｏｎメッセージに配分される、ｒｒｃ−ＴｒａｎｓａｃｔｉｏｎＩｄｅｎｔｉｆｉｅｒを含む。
【００６７】
随意の実施形態１では、基地局間インターフェースが、Ｓ−ｇＮＢとＴ−ｇＮＢとの間に存在し、したがって、Ｓ−ｇＮＢとＴ−ｇＮＢとの間でソース基地局によって標的基地局に送信されるハンドオーバ要求および標的基地局によってソース基地局にフィードバックされるハンドオーバ要求確認応答を含む、ハンドオーバ準備メッセージは全て、直接、基地局間インターフェースを通して伝送される。実際のネットワークでは、基地局間インターフェースが、ソース基地局および標的基地局上に展開されない場合が存在し得る。この場合、ハンドオーバ準備に関連する全てのメッセージは、コアネットワークを介して伝送される。例えば、ソース基地局が、ソース基地局とコアネットワークとの間のインターフェースを通して、ハンドオーバ準備に関連するメッセージをコアネットワークに送信し、コアネットワークが、コアネットワークと標的基地局との間のインターフェースを通して、受信されたメッセージを標的基地局に転送する。標的基地局は、標的基地局とコアネットワークとの間のインターフェースを通して、ハンドオーバ準備に関連するフィードバックメッセージをコアネットワークに送信し、コアネットワークは、コアネットワークとソース基地局との間のインターフェースを通して、受信されたメッセージをソース基地局に転送する。他の随意の実施形態も、ここにおける説明と同一である。
【００６８】
随意の実施形態２
条件付きハンドオーバでは、ＵＥが、条件付きハンドオーバコマンド（実施形態１のステップＳ４４０に説明されるように、ソースセルによって生成されたＲＲＣＲｅｃｏｎｆｉｇｕｒａｔｉｏｎ内に含まれる）を受信後、ＵＥは、直ちにハンドオーバを実施せず、ソースセル上に留まり続け、ＲＲＣＲｅｃｏｎｆｉｇｕｒａｔｉｏｎ内に含まれる条件付きハンドオーバのための標的セルのリスト内の標的セルを測定する。ＵＥが、ＲＲＣＲｅｃｏｎｆｉｇｕｒａｔｉｏｎに示される本標的セルの「条件付きハンドオーバ実行条件」を満たす、標的セルが存在することを決定すると、ＵＥは、ハンドオーバを実施し、標的セルにアクセスする。実施形態１のステップＳ４４０に説明されるように、ソースセルによって生成されたＲＲＣＲｅｃｏｎｆｉｇｕｒａｔｉｏｎメッセージは、各標的セルの「条件付きハンドオーバ実行条件」の測定構成を示すためのｍｅａｓＩＤ等の識別子情報を含む。標的セルの測定結果が、標的セルの「条件付きハンドオーバ実行条件」の測定構成を示すためのｍｅａｓＩＤと関連付けられる報告構成（ｒｅｐｏｒｔＣｏｎｆｉｇ）の報告条件を満たす場合、標的セルの「条件付きハンドオーバ実行条件」が満たされると決定される。
【００６９】
１００ＧＨｚまでの高周波数が、５Ｇシステムにおいて使用され得る。高周波数は、高経路損失、高空気吸収率（酸素吸収、雨による減衰、および霧による減衰）、日陰による減衰に対する感度、および同等物の特徴を有する。加えて、高周波数は、高透過損失を有する。したがって、高周波数リンクが、障壁によって遮断されるとき、リンク障害が、容易に生じる。高周波数リンクの前述の特徴を克服するために、ソースセルは、ＲＲＣＲｅｃｏｎｆｉｇｕｒａｔｉｏｎにおける条件付きハンドオーバのための標的セルに関する１つを上回る「条件付きハンドオーバ実行条件」を示し得る、すなわち、１つを上回る測定構成の識別子情報を示し得る。測定イベントＡ５を実施例として取り上げると、ソース基地局は、ＲＲＣＲｅｃｏｎｆｉｇｕｒａｔｉｏｎにおける条件付きハンドオーバのための標的セルに関して、２つのｍｅａｓＩＤ、すなわち、ｍｅａｓＩＤ１およびｍｅａｓＩＤ２を示す。ｍｅａｓＩＤ１およびｍｅａｓＩＤ２は、２つの異なるｒｅｐｏｒｔＣｏｎｆｉｇ、すなわち、ｒｅｐｏｒｔＣｏｎｆｉｇ１およびｒｅｐｏｒｔＣｏｎｆｉｇ２と別個に関連付けられる。
【００７０】
ｒｅｐｏｒｔＣｏｎｆｉｇ１内で構成されるＡ５イベントは、サービングセルの信号品質が、Ｘ１より低く、近傍セルの信号品質が、Ｙ１より高いことである。
【００７１】
ｒｅｐｏｒｔＣｏｎｆｉｇ２内で構成されるＡ５イベントは、サービングセルの信号品質が、Ｘ２より低く、近傍セルの信号品質が、Ｙ２より高いことである。
【００７２】
Ｘ１＜Ｘ２およびＹ１＜Ｙ２が、構成される。本実施形態では、「アドバンスハンドオーバー準備条件」もまた、Ａ５イベント（サービングセルの信号品質が、Ｘ０より低く、近傍セルの信号品質が、Ｙ０より高い）として構成される、または「アドバンスハンドオーバー準備条件」は、Ａ４イベント（近傍セルの信号品質が、Ｙ０より高い）として構成されると仮定して、Ｙ０＜Ｙ１＜Ｙ２およびＸ１＜Ｘ２＜Ｘ０が、構成される。
【００７３】
前述の構成に基づいて、図７におけるハンドオーバシナリオの概略図を実施例として取り上げると、ＵＥが、サービングセル（図７における点Ｃ）内に障害を有するとき、Ｘ１の値が、非常に小さいが、サービングセルの信号品質が、障害の発生に起因して、Ｘ１未満であることが満たされる。この場合、標的セルの信号品質が、Ｙ１より高い状態にある場合、ｍｅａｓＩＤ１と関連付けられるｒｅｐｏｒｔＣｏｎｆｉｇ１が、報告条件を満たし、ＵＥは、条件付きハンドオーバを実施する。しかしながら、障害が生じない、通常の場合、ＵＥが、点Ｂに移動すると、ｍｅａｓＩＤ２と関連付けられるｒｅｐｏｒｔＣｏｎｆｉｇ２の報告条件が、ＵＥが条件付きハンドオーバを実施するように満たされる。
【００７４】
随意の実施形態３
条件付きハンドオーバでは、ハンドオーバ準備プロセスが、「実際のハンドオーバ条件」が満たされる前に完了され、ハンドオーバコマンドが、ソースセルの信号品質が十分に良好となる前に、ＵＥに送信される。したがって、既存のハンドオーバ技術と比較して、「条件付きハンドオーバ実行条件」のトリガ時間は、既存のハンドオーバ技術における「実際のハンドオーバ条件」のトリガ時間より後になり得る。Ａ３イベントを同一ハンドオーバシナリオのための実施例として取り上げると、既存のハンドオーバの終了時、Ａ３イベントのオフセットが、「条件付きハンドオーバ実行条件」において、Ｏ１であるように構成される一方、Ａ３イベントのオフセットが、Ｏ２であるように構成される場合、Ｏ２＞Ｏ１が、構成され得る。前述の目的を達成するために、下記に説明される３つの実装が、本実施形態では提案される。
【００７５】
実装１
ソース基地局が、条件付きハンドオーバのための標的セルのリストをＵＥに送信すると（実施形態１のステップＳ４４０参照）、ソース基地局は、条件付きハンドオーバのための標的セルのリスト内に、各条件付きハンドオーバセルのＡＲＦＣＮおよびＰＣＩ、標的セルの条件付きハンドオーバコマンド、および標的セルの「条件付きハンドオーバ実行条件」の測定構成を示す識別子情報（例えば、ｍｅａｓＩＤ）を提供することに加え、ｍｅａｓＩＤと関連付けられる測定対象構成内の標的セルのセル個々のオフセットを修正（事前に構成する場合）または増加させる（事前に構成しない場合）。セル個々のオフセットは、標的セルの「条件付きハンドオーバ実行条件」を評価するためにＵＥによって使用される。概して、基地局が、測定対象の構成パラメータを修正すると、ＵＥは、測定対象の保存された測定結果を削除し、測定対象の測定結果を報告するための周期的測定報告タイマを停止し、測定対象の測定結果上で層３（Ｌ３、ここでは、ＲＲＣ層を指す）フィルタリングを実施するためのタイマ（ｔｉｍｅＴｏＴｒｉｇｇｅｒ）を停止する。本実施形態では、モビリティ性能を確実にするために、前述の動作は、セル個々のオフセットが修正または増加されるときは実施されない。
【００７６】
実装２
ソース基地局が、条件付きハンドオーバのための標的セルのリストをＵＥに送信すると（実施形態１のステップＳ４４０参照）、ソース基地局はさらに、条件付きハンドオーバのための標的セルのリスト内に、条件付きハンドオーバのための各セルのＡＲＦＣＮおよびＰＣＩ、標的セルの条件付きハンドオーバコマンド、および標的セルの「条件付きハンドオーバ実行条件」の測定構成を示す識別子情報（例えば、ｍｅａｓＩＤ）を提供することに加え、オフセットまたは閾値を提供する。システムの設計に従って、ＵＥは、オフセットまたは閾値を受信後、下記に説明される動作のうちの１つを実施する。
【００７７】
動作１：そのオフセットは、標的セルの「条件付きハンドオーバ実行条件」の測定構成の識別子情報（例えば、ｍｅａｓＩＤ）と関連付けられる測定対象内に構成される、オフセットを置換するために使用される、またはその閾値は、標的セルの「条件付きハンドオーバ実行条件」の測定構成の識別子情報（例えば、ｍｅａｓＩＤ）と関連付けられる測定対象内に構成される、閾値を置換するために使用される。
【００７８】
動作２：そのオフセットと標的セルの「条件付きハンドオーバ実行条件」の測定構成の識別子情報（例えば、ｍｅａｓＩＤ）と関連付けられる測定対象内に構成されるオフセットの和が、計算される、またはその閾値と標的セルの「条件付きハンドオーバ実行条件」の測定構成の識別子情報（例えば、ｍｅａｓＩＤ）と関連付けられる測定対象内に構成される閾値の和が、計算される。
【００７９】
ＵＥが、前述の動作のうちの１つに従って、計算されたオフセットまたは閾値を取得後、ＵＥは、計算されたオフセットまたは閾値を使用して、標的セルが「条件付きハンドオーバ実行条件」を満たすかどうかを評価する。
【００８０】
Ａ３イベントを実施例として取り上げると、ハンドオーバのための標的セルのリストが受信される前に、基地局によってｍｅａｓＩＤ１内のＵＥのために構成される、Ａ３イベントは、近傍セルの信号品質が、サービングセルの信号品質より１オフセットだけ高く、オフセットが、３ｄＢであるように構成されるというものである。条件付きハンドオーバのための標的セルのリスト内において、基地局は、標的セルの「条件付きハンドオーバ実行条件」の測定構成を示す識別子情報をｍｅａｓＩＤ１であるように構成し、２ｄＢのオフセットを構成する。ＵＥが、オフセットを受信後、ＵＥは、動作２を実施し、ｍｅａｓＩＤ１のＡ３イベントのオフセットが５ｄＢであることを求める。ＵＥは、５ｄＢを使用して、標的セルがＡ３イベントを満たす、すなわち、「条件付きハンドオーバ実行条件」を満たすかどうかを評価する。
【００８１】
また、Ａ３イベントを実施例として取り上げると、ハンドオーバのための標的セルのリストが受信される前に、基地局によってｍｅａｓＩＤ１内のＵＥのために構成されるＡ３イベントは、近傍セルの信号品質が、サービングセルの信号品質より１オフセットだけ高く、オフセットが、３ｄＢであるように構成されるというものである。条件付きハンドオーバのための標的セルのリスト内に、基地局は、標的セルの「条件付きハンドオーバ実行条件」の測定構成を示す識別子情報がｍｅａｓＩＤ１であるように構成し、５ｄＢのオフセットを構成する。ＵＥが、オフセットを受信後、ＵＥは、動作１を実施し、ｍｅａｓＩＤ１のＡ３イベントのオフセットが５ｄＢであることを求める。ＵＥは、５ｄＢを使用して、標的セルがＡ３イベントを満たすかどうか、すなわち、「条件付きハンドオーバ実行条件」を満たすかどうかを評価する。
【００８２】
実装３
ソース基地局が、ｒｅｐｏｒｔＣｏｎｆｉｇを構成すると、ソース基地局は、同一イベントのための２つのパラメータのセットを構成する、例えば、近傍セルを評価するための２つの閾値を構成し、２つのオフセットを構成し、２つのパラメータのセットのうちの一方が通常ハンドオーバのために使用されるように設定され、他方が、条件付きハンドオーバのために使用されるように設定されることを示す。
【００８３】
Ａ４イベントの構成（近傍セルの信号品質が、閾値より高い）を実施例として取り上げると、２つの閾値Ｔｈ１およびＴｈ２が、構成され、Ｔｈ１が、通常ハンドオーバのために使用され、Ｔｈ２が、条件付きハンドオーバのために使用されることが示される。ＵＥは、Ｔｈ１を使用して、標的セルが通常ハンドオーバ条件を満たすかどうかを評価し、Ｔｈ２を使用して、標的セルが「条件付きハンドオーバ実行条件」を満たすかどうかを決定する。
【００８４】
Ａ３イベントの構成（近傍セルの信号品質が、サービングセルの信号品質より１オフセットだけ高い）を実施例として取り上げると、２つのオフセットのオフセット１およびオフセット２が、構成され、オフセット１が、通常ハンドオーバのために使用され、オフセット２が、条件付きハンドオーバのために使用されることが示される。ＵＥは、オフセット１を使用して、標的セルが通常ハンドオーバ条件を満たすかどうかを評価し、Ｔｈ２を使用して、標的セルが「条件付きハンドオーバ実行条件」を満たすかどうかを決定する。
【００８５】
随意の実施形態４
１００ＧＨｚまでの高周波数が、５Ｇシステムでは使用され得る。高周波数リンクが、障壁によって遮断されると、障害が、容易に生じる。５Ｇシステムでは、無線リンク品質は、２つの機構、すなわち、ビームリンク監視および無線リンク監視によって監視される。ＵＥが、ビーム失敗が生じていることを決定すると、ＵＥは、ビーム失敗回収プロセスを実施する。ビーム回収は、例えば、十分に良好な信号品質を有するビームが見出されない、またはビーム回収確認応答が基地局から受信されない、または同等物である場合、失敗し得る。
【００８６】
本実施形態では、ＵＥが、ソース基地局によって送信される条件付きハンドオーバのための標的セルのリストを含む、ＲＲＣＲｅｃｏｎｆｉｇｕｒａｔｉｏｎメッセージを受信後、ＵＥが、ビーム回収失敗または無線リンク失敗がソースセル内で生じていることを決定する場合、ＵＥは、条件付きハンドオーバのための１つの標的セルを標的セルのリストから選択し、その標的セルに切り替える。
【００８７】
図８は、本実施形態による、実装フローチャートである。プロセスは、ステップＳ６１０、Ｓ６２０、Ｓ６３０、およびＳ６４０を含み、これは、それぞれ、実施形態１におけるステップＳ４１０、Ｓ４２０、Ｓ４３０、およびＳ４４０に類似する。
【００８８】
ステップＳ６５０では、ＵＥが、ＲＲＣＲｅｃｏｎｆｉｇｕｒａｔｉｏｎＣｏｍｐｌｅｔｅメッセージをソース基地局に返信する。
【００８９】
ステップＳ６６０では、標的セルに対応する、「条件付きハンドオーバ実行条件」を満たす、条件付きハンドオーバのための標的セルが存在する前に、ＵＥが、ビーム回収失敗または無線リンク失敗を決定する。
【００９０】
ステップＳ６７０では、ＵＥが、条件付きハンドオーバのための１つの標的セルを選択する。
【００９１】
ＵＥは、最良信号品質を有する１つのセルを条件付きハンドオーバのための標的セルのリストから選択してもよい。代替として、ＵＥは、良好な品質を伴う最大数のビームを有する１つのセルを条件付きハンドオーバのための標的セルのリストから選択してもよい。代替として、ＵＥは、ＵＥのアルゴリズムに従って、ある標的セルを条件付きハンドオーバのための標的セルのリストから選択してもよい。
【００９２】
ステップＳ６８０では、ＵＥが、選択された標的セルにアクセスする。
【００９３】
ステップＳ６９０では、ＵＥが、ＲＲＣＲｅｃｏｎｆｉｇｕｒａｔｉｏｎＣｏｍｐｌｅｔｅを標的セルに送信する。
【００９４】
随意の実施形態５
随意の実施形態２に説明されるように、条件付きハンドオーバのための複数の標的セルによって生成された条件付きハンドオーバコマンド（説明を区別するために、ＲＲＣＲｅｃｏｎｆｉｇｕｒａｔｉｏｎ−ｃｏｎｄと称される）が、ＵＥに送信されるためにソース基地局によって生成されたＲＲＣＲｅｃｏｎｆｉｇｕｒａｔｉｏｎ内に含まれる。ＲＲＣＲｅｃｏｎｆｉｇｕｒａｔｉｏｎは、ソース基地局によってＲＲＣメッセージに配分される、ｒｒｃ−ＴｒａｎｓａｃｔｉｏｎＩｄｅｎｔｉｆｉｅｒを含む。ＲＲＣＲｅｃｏｎｆｉｇｕｒａｔｉｏｎ−ｃｏｎｄは、標的セルによってＲＲＣＲｅｃｏｎｆｉｇｕｒａｔｉｏｎ−ｃｏｎｄに配分される、ｒｒｃ−ＴｒａｎｓａｃｔｉｏｎＩｄｅｎｔｉｆｉｅｒを含む。ＵＥが、ＲＲＣＲｅｃｏｎｆｉｇｕｒａｔｉｏｎＣｏｍｐｌｅｔｅメッセージをソース基地局に返信すると、ソース基地局によってＲＲＣＲｅｃｏｎｆｉｇｕｒａｔｉｏｎに配分される、ｒｒｃ−ＴｒａｎｓａｃｔｉｏｎＩｄｅｎｔｉｆｉｅｒが、搬送される。ＵＥが、条件付きハンドオーバのための標的セルにアクセスすると、標的セルにフィードバックされるＲＲＣＲｅｃｏｎｆｉｇｕｒａｔｉｏｎＣｏｍｐｌｅｔｅメッセージが、標的セルによってＲＲＣＲｅｃｏｎｆｉｇｕｒａｔｉｏｎ−ｃｏｎｄメッセージに配分される、ｒｒｃ−ＴｒａｎｓａｃｔｉｏｎＩｄｅｎｔｉｆｉｅｒを搬送し、ＵＥによって記憶される。
【００９５】
例えば、図９は、随意の実施形態５による、実装フローチャートである。プロセスは、ステップＳ７０１、Ｓ７０２、Ｓ７０３、およびＳ７０４を含み、これは、それぞれ、随意の実施形態１におけるステップＳ４１０、Ｓ４２０、Ｓ４３０、およびＳ４４０に類似する。
【００９６】
本随意の実施形態のステップ７０４では、ソース基地局によって生成されたＲＲＣＲｅｃｏｎｆｉｇｕｒａｔｉｏｎメッセージにソース基地局によって配分される、ｒｒｃ−ＴｒａｎｓａｃｔｉｏｎＩｄｅｎｔｉｆｉｅｒは、ｒｒｃ−ＴｒａｎｓａｃｔｉｏｎＩｄｅｎｔｉｆｉｅｒ１であることに留意されたい。ＲＲＣＲｅｃｏｎｆｉｇｕｒａｔｉｏｎメッセージは、条件付きハンドオーバのための標的セルＸを含む。条件付きハンドオーバのための標的セルＸのＲＲＣＲｅｃｏｎｆｉｇｕｒａｔｉｏｎ−ｃｏｎｄメッセージ内のｒｒｃ−ＴｒａｎｓａｃｔｉｏｎＩｄｅｎｔｉｆｉｅｒは、ｒｒｃ−ＴｒａｎｓａｃｔｉｏｎＩｄｅｎｔｉｆｉｅｒＸ−１である。
【００９７】
ステップＳ７０５では、ＵＥが、ステップＳ７０４を受信後、ＵＥは、ＲＲＣＲｅｃｏｎｆｉｇｕｒａｔｉｏｎＣｏｍｐｌｅｔｅメッセージをソース基地局に返信する。メッセージは、ｒｒｃ−ＴｒａｎｓａｃｔｉｏｎＩｄｅｎｔｉｆｉｅｒ１を含む。
【００９８】
ステップＳ７０６では、ソース基地局が、ソース基地局がＵＥのために構成された情報に構成更新を実施する必要があることを決定する。
【００９９】
例えば、本随意の実施形態では、ソース基地局は、ソースセルの構成パラメータ（例えば、データ無線ベアラ（ＤＲＢ）構成）に構成更新を実施する必要がある。
【０１００】
ステップＳ７０７では、ソース基地局は、ＲＲＣＲｅｃｏｎｆｉｇｕｒａｔｉｏｎをＵＥに送信する。メッセージのｒｒｃ−ＴｒａｎｓａｃｔｉｏｎＩｄｅｎｔｉｆｉｅｒは、ｒｒｃ−ＴｒａｎｓａｃｔｉｏｎＩｄｅｎｔｉｆｉｅｒ２である。メッセージは、条件付きハンドオーバのための任意の標的セルの情報を含まない。
【０１０１】
ステップＳ７０８では、ＵＥが、ステップＳ７０７において情報を受信後、ＵＥは、ＲＲＣＲｅｃｏｎｆｉｇｕｒａｔｉｏｎＣｏｍｐｌｅｔｅメッセージをソース基地局に返信する。メッセージは、ｒｒｃ−ＴｒａｎｓａｃｔｉｏｎＩｄｅｎｔｉｆｉｅｒ２を含む。
【０１０２】
ステップＳ７０９では、ソース基地局が、ハンドオーバ要求を標的基地局に送信する。
【０１０３】
条件付きハンドオーバのための標的セルＸの構成（ＲＲＣＲｅｃｏｎｆｉｇｕｒａｔｉｏｎ−ｃｏｎｄ内に含まれる）は、ソースセルの構成情報に従って、条件付きハンドオーバのための標的セルＸによって構成される。したがって、ソースセルの構成が、更新されると、条件付きハンドオーバのための標的セルＸのための構成もまた、適宜、更新される必要がある。したがって、ソース基地局は、ハンドオーバ要求を標的基地局に送信する。３つのステップＳ７０９、Ｓ７０７、およびＳ７０８間には、厳密なタイミング関係が存在しないことに留意されたい。例えば、ステップＳ７０９およびＳ７０７は、同時に実施されてもよい。
【０１０４】
ステップＳ７１０では、標的基地局が、ハンドオーバ要求確認応答をソース基地局に返信する。ハンドオーバ要求確認応答は、条件付きハンドオーバのための標的セルＸの更新された構成情報を含む。同様に、構成情報は、条件付きハンドオーバのための標的セルＸによって生成されたＲＲＣＲｅｃｏｎｆｉｇｕｒａｔｉｏｎ−ｃｏｎｄ内に含まれる。この場合、ＲＲＣＲｅｃｏｎｆｉｇｕｒａｔｉｏｎ−ｃｏｎｄ内に含まれるｒｒｃ−ＴｒａｎｓａｃｔｉｏｎＩｄｅｎｔｉｆｉｅｒは、ｒｒｃ−ＴｒａｎｓａｃｔｉｏｎＩｄｅｎｔｉｆｉｅｒＸ２である。
【０１０５】
ステップＳ７１１では、ソース基地局が、ＲＲＣＲｅｃｏｎｆｉｇｕｒａｔｉｏｎをＵＥに送信する。メッセージのｒｒｃ−ＴｒａｎｓａｃｔｉｏｎＩｄｅｎｔｉｆｉｅｒは、ｒｒｃ−ＴｒａｎｓａｃｔｉｏｎＩｄｅｎｔｉｆｉｅｒ３である。メッセージは、ステップＳ７１０から受信された条件付きハンドオーバのための標的セルＸのＲＲＣＲｅｃｏｎｆｉｇｕｒａｔｉｏｎ−ｃｏｎｄ（ｒｒｃ−ＴｒａｎｓａｃｔｉｏｎＩｄｅｎｔｉｆｉｅｒＸ２を含む）を含む。
【０１０６】
本随意の実施形態では、ソースセルの信号品質は、本時点で非常に不良となっているため、ＲＲＣＲｅｃｏｎｆｉｇｕｒａｔｉｏｎの伝送は、失敗する。すなわち、ＵＥは、メッセージを受信しない。
【０１０７】
ステップＳ７１２では、セルＸが、「条件付きハンドオーバ実行条件」を満たす。
【０１０８】
ステップＳ７１３では、ＵＥが、セルＸにアクセスする。
【０１０９】
ステップＳ７１４では、ＵＥが、ＲＲＣＲｅｃｏｎｆｉｇｕｒａｔｉｏｎＣｏｍｐｌｅｔｅメッセージをセルＸに返信する。メッセージは、ｒｒｃ−ＴｒａｎｓａｃｔｉｏｎＩｄｅｎｔｉｆｉｅｒＸ−１を含む。
【０１１０】
セルＸが、ＲＲＣＲｅｃｏｎｆｉｇｕｒａｔｉｏｎＣｏｍｐｌｅｔｅを受信すると、セルＸにアクセスするためにＵＥによって使用される構成情報は、ｒｒｃ−ＴｒａｎｓａｃｔｉｏｎＩｄｅｎｔｉｆｉｅｒＸ−１を通して決定されてもよい。
【０１１１】
随意の実施形態６
上記に説明される全ての随意の実施形態では、ＵＥは、ランダムアクセスの様式において、条件付きハンドオーバのための標的セルにアクセスする。しかしながら、いくつかの展開シナリオでは、ＵＥは、例えば、条件付きハンドオーバのための標的セルが、ソース基地局と同一タイミング調節（ＴＡ）を有する、またはＵＥと条件付きハンドオーバのための標的セルとの間のＴＡが、０である場合、ランダムアクセスの様式において、条件付きハンドオーバのための標的セルにアクセスする必要がない。ＵＥが、標的セル内でランダムアクセスを実施する必要がないとき、そのようなハンドオーバは、ＲＡＣＨ−ｌｅｓｓハンドオーバと称され得る。
【０１１２】
既存のハンドオーバ技術では、ＲＡＣＨ−ｌｅｓｓハンドオーバが、実施されると、標的セルが、ハンドオーバ要求をソースセルから受信後、下記に説明される２つの動作のうちの１つが、実施される。
【０１１３】
動作１：アップリンクグラントが、ＵＥのために構成される。構成されるアップリンクグラントは、標的セルによって生成されたＲＲＣＲｅｃｏｎｆｉｇｕｒａｔｉｏｎメッセージ内に含まれる。ＲＲＣＲｅｃｏｎｆｉｇｕｒａｔｉｏｎは、ハンドオーバ要求確認応答メッセージを通して、ソース基地局にフィードバックされる。次いで、ソース基地局は、受信されたＲＲＣＲｅｃｏｎｆｉｇｕｒａｔｉｏｎをＵＥに送信する。ＵＥが、ＲＲＣＲｅｃｏｎｆｉｇｕｒａｔｉｏｎメッセージを受信後、ＵＥは、ハンドオーバを実施し、直接、ＲＲＣＲｅｃｏｎｆｉｇｕｒａｔｉｏｎ内に構成されるアップリンクグラントを使用することによって、標的セル上でアップリンクデータを送信する。
【０１１４】
動作２：標的基地局が、ＲＲＣＲｅｃｏｎｆｉｇｕｒａｔｉｏｎを生成する。ＲＲＣＲｅｃｏｎｆｉｇｕｒａｔｉｏｎは、アップリンクグラントとともに構成されないが、ＵＥに、ＲＡＣＨ−ｌｅｓｓハンドオーバを実施するように命令する。標的基地局が、ハンドオーバ要求確認応答メッセージをソース基地局に返信後、標的基地局は、ＵＥのスケジューリングを開始する。ＲＲＣＲｅｃｏｎｆｉｇｕｒａｔｉｏｎは、ハンドオーバ要求確認応答メッセージを通して、ソース基地局にフィードバックされる。次いで、ソース基地局は、受信されたＲＲＣＲｅｃｏｎｆｉｇｕｒａｔｉｏｎをＵＥに送信する。ＵＥが、ＲＲＣＲｅｃｏｎｆｉｇｕｒａｔｉｏｎメッセージを受信後、ＵＥは、標的基地局のスケジューリングをリッスンし、直接、標的基地局のスケジューリングに従って、標的セル上でアップリンクデータを送信する、またはダウンリンクデータを受信する。
【０１１５】
前述の２つの動作では、標的基地局は、事前に、アップリンクグラントを構成する必要がある、または事前に、ＵＥのスケジューリングを開始する。既存のハンドオーバ技術における、ＵＥが、ハンドオーバコマンドを受信後、直接、ハンドオーバを実施する機構と比較して、事前に、アップリンクグラントを構成する、または事前に、ＵＥのスケジューリングを開始する、本機構は、あまりリソースの無駄を引き起こさない。しかしながら、本機構が、条件付きハンドオーバプロセスに適用される場合、ハンドオーバ準備が、事前に実施されるが、実際のハンドオーバが、「条件付きハンドオーバ実行条件」が満たされるまで実施されないため、リソースの膨大な無駄が、引き起こされる。本問題を解決するために、２つのソリューションが、ここでは提案される。
【０１１６】
ソリューション１：条件付きハンドオーバのための標的セルが、ＵＥによって送信されるＳＲＳを受信後、構成されるアップリンクグラントが、有効化状態を開始する（アップリンクグラントが、条件付きハンドオーバコマンド（ＲＲＣＲｅｃｏｎｆｉｇｕｒａｔｉｏｎ）内に構成される場合）、または条件付きハンドオーバのための標的セルが、スケジューリングを開始する。
【０１１７】
図１０は、ソリューション１の実装フローチャートである。プロセスは、ステップＳ８１０およびＳ８２０を含み、これは、それぞれ、実施形態１におけるステップＳ４１０およびＳ４２０に類似する。
【０１１８】
ステップＳ８３０では、標的基地局が、ハンドオーバ要求確認応答をソース基地局に返信する。
【０１１９】
ハンドオーバ要求確認応答は、標的セルの構成リストを含む。随意に、標的セルによって生成されたＲＲＣＲｅｃｏｎｆｉｇｕｒａｔｉｏｎは、事前にＵＥのために構成される、標的セルのアップリンクグラントを含んでもよい。アップリンクグラントを構成するかどうかは、標的セルのアルゴリズムおよび方略に従って、標的セルによって決定される。
【０１２０】
アップリンクグラントが、構成される場合、アップリンクグラントは、構成された直後に有効にならない。
【０１２１】
ステップＳ８４０では、ソース基地局が、条件付きハンドオーバコマンドをＵＥに送信する。
【０１２２】
ステップＳ８５０では、ＵＥが、ＲＲＣＲｅｃｏｎｆｉｇｕｒａｔｉｏｎＣｏｍｐｌｅｔｅメッセージをソース基地局に返信する。
【０１２３】
ステップＳ８６０では、「条件付きハンドオーバ実行条件」を満たす、標的セルＸが存在する。
【０１２４】
ステップＳ８７０では、ＵＥが、ＳＲＳを標的セルＸに送信する。
【０１２５】
ＵＥは、条件付きハンドオーバコマンド内に標的セルＸによってＵＥのために構成されるＳＲＳに従って、ＳＲＳを標的セルＸに送信する。
【０１２６】
ステップＳ８８０では、標的セルＸが、ＳＲＳをＵＥから受信後、アップリンクグラントが、ステップＳ８３０において構成される場合、アップリンクグラントは、有効になる。アップリンクグラントが、ステップＳ８３０において構成されない場合、ＵＥは、スケジューリングを開始される。
【０１２７】
ステップＳ８９０では、ＵＥが、ＲＲＣＲｅｃｏｎｆｉｇｕｒａｔｉｏｎ完了メッセージを標的セルＸに返信する。
【０１２８】
ソリューション２：条件付きハンドオーバのための標的セルが、条件付きハンドオーバコマンド（ＲＲＣＲｅｃｏｎｆｉｇｕｒａｔｉｏｎ）を生成後、条件付きハンドオーバのための標的セルは、タイマＴを開始する。タイマＴが切れた後、構成されるアップリンクグラントは、有効化状態を開始する（アップリンクグラントが、条件付きハンドオーバコマンド（ＲＲＣＲｅｃｏｎｆｉｇｕｒａｔｉｏｎ）内で構成される場合）、または条件付きハンドオーバのための標的セルは、スケジューリングを開始する。
【０１２９】
図１１は、ソリューション２の実装フローチャートである。プロセスは、ステップＳ９１０、Ｓ９２０、およびＳ９３０を含み、これは、それぞれ、ソリューション１におけるステップＳ９１０、Ｓ９２０、およびＳ９３０に類似する。
【０１３０】
ステップＳ９４０では、条件付きハンドオーバのための標的セルが、条件付きハンドオーバコマンド（ＲＲＣＲｅｃｏｎｆｉｇｕｒａｔｉｏｎ）を生成後、タイマＴを開始する。
【０１３１】
ステップＳ９５０は、上記に説明されるソリューション１におけるステップＳ８４０と同一である。
【０１３２】
ステップＳ９６０は、上記に説明されるソリューション１におけるステップＳ８５０と同一である。
【０１３３】
ステップＳ９７０では、タイマＴが切れると、構成されるアップリンクグラントは、有効化状態を開始する（アップリンクグラントが、条件付きハンドオーバコマンド（ＲＲＣＲｅｃｏｎｆｉｇｕｒａｔｉｏｎ）内で構成される場合）、または条件付きハンドオーバのための標的セルは、スケジューリングを開始する。
【０１３４】
ステップＳ９８０は、上記に説明されるソリューション１におけるステップＳ８６０と同一である。
【０１３５】
ステップＳ９９０は、上記に説明されるソリューション１におけるステップＳ８９０と同一である。
【０１３６】
上記に述べられる実装の説明から、上記に述べられる実施形態における方法が、ソフトウェアおよび必要な汎用目的ハードウェアプラットフォームによって実装され得る、または当然ながら、ハードウェアによって実装され得ることが、当業者に明白となるであろう。しかしながら、多くの場合、前者が、好ましい実装である。本理解に基づいて、本開示の技術的スキームは、本質的に、または関連技術に寄与する部分は、ソフトウェア製品の形態で具現化され得る。コンピュータソフトウェア製品は、（リードオンリーメモリ（ＲＯＭ）／ランダムアクセスメモリ（ＲＡＭ）、磁気ディスク、または光ディスク等の）記憶媒体の中に記憶され、（携帯電話、コンピュータ、サーバ、ネットワーク機器、または同等物であり得る）端末機器が本開示の実施形態で述べられる方法を実施することを可能にするためのいくつかの命令を含む。
【０１３７】
実施形態２
本実施形態はさらに、ハンドオーバ装置を提供する。本装置は、上記に説明される実施形態および好ましい実装を実装するように構成される。説明された内容は、繰り返されない。下記に使用されるように、用語「モジュール」は、所定の機能を実装することが可能である、ソフトウェア、ハードウェア、またはソフトウェアおよびハードウェアの組み合わせであり得る。下記に説明される実施形態における装置は、好ましくは、ソフトウェアによって実装されるが、ハードウェアによる、またはソフトウェアおよびハードウェアの組み合わせによる実装もまた、可能性として考えられ、想起される。
【０１３８】
図１２は、本開示の実施形態による、ハンドオーバ装置の構造ブロック図である。図２に示されるように、本装置は、受信モジュール１２２と、第１のハンドオーバモジュール１２４とを含む。受信モジュール１２２は、ＵＥが、ソース基地局によって送信される無線リソース制御再構成メッセージを受信するために構成される。無線リソース制御再構成メッセージは、ＵＥによって条件付きハンドオーバを実施するための標的セルのリストを含む。条件付きハンドオーバを実施するための標的セルのリスト内の各標的セルの情報は、以下、すなわち、標的セルの周波数情報、標的セルの物理セル識別子、標的セルによって生成された標的セルの条件付きハンドオーバコマンド、または測定構成識別子情報のうちの少なくとも１つのうちの少なくとも１つを含む。測定構成識別子情報は、ＵＥが条件付きハンドオーバを標的セル内で実施するための実行条件を命令するために使用される。第１のハンドオーバモジュール１２４は、無線リソース制御再構成メッセージに従って、ハンドオーバを実施するように構成される。
【０１３９】
図１２に示される装置を通して、１つのみの標的セルが選択される、既存の条件付きハンドオーバと比較して、本開示では、標的セルのリストが、構成され、１つの標的セルが、複数の標的セルから選択され、したがって、関連技術における測定報告またはハンドオーバコマンドの伝送失敗によって引き起こされるハンドオーバ失敗の問題を解決し、モビリティ性能を改良する。
【０１４０】
随意の実装では、標的セルの条件付きハンドオーバコマンドは、標的セルによって、インターフェースメッセージを通して、ソース基地局に送信される。インターフェースメッセージは、標的セルの構成リストを含む。標的セルの構成リスト内の各標的セルの構成は、標的セルのＣＧＩ、標的セルの条件付きハンドオーバコマンド、および以下の情報、すなわち、標的セル上で正常に認められたＰＤＵセッション情報、または標的セル上で正常に認められたＥ−ＲＡＢ情報のうちの１つを含む。
【０１４１】
随意に、標的セルの条件付きハンドオーバコマンドは、標的セルによって条件付きハンドオーバコマンドに配分される、ＲＲＣメッセージトランザクション識別子を含む。
【０１４２】
随意に、条件付きハンドオーバを実施するための標的セルのリスト内の各標的セルの情報が、測定構成識別子情報のうちの少なくとも１つを含む場合、本装置はさらに、測定構成識別子情報と関連付けられる測定対象構成内の標的セルのセル個々のオフセットを修正または増加させるように構成される。
【０１４３】
随意に、条件付きハンドオーバを実施するための標的セルのリスト内の各標的セルの情報が、測定構成識別情報のうちの少なくとも１つを含む場合、条件付きハンドオーバを実施するための標的セルのリスト内の各標的セルの情報はさらに、オフセットまたは閾値を含む。
【０１４４】
随意に、ＵＥが、オフセットまたは閾値を受信すると、本装置はさらに、以下の動作、すなわち、ＵＥが、そのオフセットを使用して、測定構成識別子情報と関連付けられる測定対象構成内のオフセットを置換する、またはＵＥが、その閾値を使用して、測定構成識別子情報と関連付けられる測定対象構成内の閾値を置換するステップ、またはＵＥが、そのオフセットと測定構成識別子情報と関連付けられる測定対象構成内のオフセットの和を計算する、またはＵＥが、その閾値と測定構成識別子情報と関連付けられる測定対象構成内の閾値の和を計算するステップを実施するように構成される。
【０１４５】
随意に、ＵＥが、ソース基地局によって送信される無線リソース制御再構成メッセージを受信する動作の前に、本装置はさらに、以下の動作、すなわち、ＵＥが、ソース基地局によって同一測定イベントのために構成される少なくとも２つのパラメータのセットを受信するステップを実施するように構成される、または本装置はさらに、以下の動作、すなわち、ＵＥがソース基地局によって同一測定イベントのために構成され、無線リソース制御再構成メッセージ内で搬送される、少なくとも２つのパラメータのセットを受信するステップを実施するように構成される。２つのパラメータのセットは、パラメータの第１のセットと、パラメータの第２のセットとを含む。パラメータの第１のセットは、ＵＥに、条件付きハンドオーバを実施するように命令するために使用される。パラメータの第２のセットは、ＵＥに、非条件付きハンドオーバを実施するように命令するために使用される。
【０１４６】
随意に、ＵＥが、無線リソース制御再構成メッセージに従って、ハンドオーバを実施する、動作は、以下の動作、すなわち、無線リソース制御再構成メッセージ内に含まれる少なくとも１つの標的セルの測定結果が、測定構成識別子情報と関連付けられる報告構成の報告条件を満たす場合、ＵＥが条件付きハンドオーバを標的セル内で実施するための実行条件が満たされたと決定され、ＵＥが、その標的セルに切り替えるステップを含む。
【０１４７】
随意に、ＵＥが、ソース基地局によって送信される無線リソース制御再構成メッセージを受信する動作後、本装置はさらに、以下の動作、すなわち、ＵＥが、ビーム回収失敗または無線リンク失敗がソースセル内で生じていることを決定する場合、ＵＥが、標的セルのリストから１つの標的セルを選択し、ＵＥが、その１つの標的セルに切り替えるステップを実施するように構成される。
【０１４８】
随意に、ＵＥが、ソース基地局によって送信される無線リソース制御再構成メッセージを受信する動作後、本装置はさらに、以下の動作、すなわち、ＵＥが無線リソース制御再構成完了メッセージをソース基地局に返信するステップを実施するように構成される。無線リソース制御再構成完了メッセージは、ソース基地局によって無線リソース制御再構成メッセージに配分される、ＲＲＣメッセージトランザクション識別子を搬送する。
【０１４９】
随意に、ＵＥが、無線リソース制御再構成メッセージに従って、ハンドオーバを実施すると、本装置はさらに、以下の動作、すなわち、ＵＥが、標的セルに、標的セルによって条件付きハンドオーバコマンドに配分される、ＲＲＣメッセージトランザクション識別子を搬送する、無線リソース制御再構成完了メッセージを返信するステップを実施するように構成される。
【０１５０】
本実施形態はさらに、ハンドオーバ装置を提供する。図１３は、本開示の実施形態による、別のハンドオーバ装置の構造ブロック図である。図１３に示されるように、本装置は、第２のハンドオーバモジュール１３２を含む。第２のハンドオーバモジュール１３２は、無線リソース制御再構成メッセージをＵＥに送信するように構成される。無線リソース制御再構成メッセージは、ＵＥによって条件付きハンドオーバを実施するための標的セルのリストを含む。条件付きハンドオーバを実施するための標的セルのリスト内の各標的セルの情報は、以下、すなわち、標的セルの周波数情報、標的セルの物理セル識別子、標的セルによって生成された標的セルの条件付きハンドオーバコマンド、または測定構成識別子情報のうちの少なくとも１つのうちの少なくとも１つを含む。測定構成識別子情報は、ＵＥが条件付きハンドオーバを標的セル内で実施するための実行条件を命令するために使用される。
【０１５１】
随意の実装では、標的セルの条件付きハンドオーバコマンドは、標的セルによって、インターフェースメッセージを通して、ソース基地局に送信される。インターフェースメッセージは、標的セルの構成リストを含む。標的セルの構成リスト内の各標的セルの構成は、標的セルのＣＧＩ、標的セルの条件付きハンドオーバコマンド、および以下の情報、すなわち、標的セル上で正常に認められたＰＤＵセッション情報、または標的セル上で正常に認められたＥ−ＲＡＢ情報のうちの１つを含む。
【０１５２】
随意に、本装置はさらに、以下の動作、すなわち、標的セルが、ＵＥによって送信されるＳＲＳを受信後、条件付きハンドオーバコマンド内に構成される標的セルのアップリンクグラントが、有効化状態を開始する、または標的セルが、スケジューリングを開始するステップ、または標的セルが、無線リソース制御再構成メッセージを生成後、標的セルは、タイマを開始し、タイマが切れた後、条件付きハンドオーバコマンド内で構成される標的セルのアップリンクグラントが、有効化状態を開始する、または標的セルが、スケジューリングを開始するステップを実施するように構成される。
【０１５３】
図１３に示される装置を通して、１つのみの標的セルが選択される、既存の条件付きハンドオーバと比較して、本開示では、標的セルのリストが、構成され、１つの標的セルが、複数の標的セルから選択され、したがって、関連技術における測定報告またはハンドオーバコマンドの伝送失敗によって引き起こされるハンドオーバ失敗の問題を解決し、モビリティ性能を改良する。
【０１５４】
上記に説明される種々のモジュールは、ソフトウェアまたはハードウェアによって実装されてもよいことに留意されたい。ハードウェアによる実装は、必ずしもではないが、以下の様式において実施されてもよい。すなわち、モジュールは、同一プロセッサ内に位置する、またはモジュールは、任意の組み合わせにおいて、異なるプロセッサ内に位置する。
【０１５５】
実施形態３
本開示の実施形態はさらに、記憶媒体を提供する。記憶媒体は、コンピュータプログラムを記憶する。コンピュータプログラムは、実行されると、任意の方法実施形態におけるステップを実施するように構成される。
【０１５６】
随意に、本実施形態では、記憶媒体は、以下のステップを実施するためのコンピュータプログラムを記憶するように構成されてもよい。すなわち、ステップＳ１では、ＵＥが、ソース基地局によって送信される無線リソース制御再構成メッセージを受信し、無線リソース制御再構成メッセージは、ＵＥによって条件付きハンドオーバを実施するための標的セルのリストを含み、条件付きハンドオーバを実施するための標的セルのリスト内の各標的セルの情報は、以下、すなわち、標的セルの周波数情報、標的セルの物理セル識別子、標的セルによって生成された標的セルの条件付きハンドオーバコマンド、または測定構成識別子情報のうちの少なくとも１つのうちの少なくとも１つを含み、測定構成識別子情報は、ＵＥが条件付きハンドオーバを標的セル内で実施するための実行条件を命令するために使用され、ステップＳ２では、ＵＥが、無線リソース制御再構成メッセージに従って、ハンドオーバを実施する。
【０１５７】
随意に、記憶媒体はさらに、以下のステップを実施するためのコンピュータプログラムを記憶するように構成される。すなわち、ステップＳ１では、ソース基地局が、無線リソース制御再構成メッセージをＵＥに送信する。無線リソース制御再構成メッセージは、ＵＥによって条件付きハンドオーバを実施するための標的セルのリストを含む。条件付きハンドオーバを実施するための標的セルのリスト内の各標的セルの情報は、以下、すなわち、標的セルの周波数情報、標的セルの物理セル識別子、標的セルによって生成された標的セルの条件付きハンドオーバコマンド、または測定構成識別子情報のうちの少なくとも１つのうちの少なくとも１つを含む。測定構成識別子情報は、ＵＥが条件付きハンドオーバを標的セル内で実施するための実行条件を命令するために使用される。
【０１５８】
随意に、本実施形態では、記憶媒体は、限定ではないが、ユニバーサルシリアルバス（ＵＳＢ）フラッシュディスク、ＲＯＭ、ＲＡＭ、モバイルハードディスク、磁気ディスク、光ディスク、またはコンピュータプログラムを記憶することが可能な別の媒体を含んでもよい。
【０１５９】
本開示の実施形態はさらに、電子デバイスを提供する。電子デバイスは、メモリと、プロセッサとを含む。メモリは、コンピュータプログラムを記憶する。プロセッサは、コンピュータプログラムを実行し、上記に説明される任意の方法実施形態におけるステップを実施するように構成される。
【０１６０】
随意に、電子デバイスはさらに、伝送デバイスと、入力および出力デバイスとを含んでもよい。伝送デバイスおよび入力および出力デバイスは両方とも、プロセッサに接続される。
【０１６１】
随意に、本実施形態では、プロセッサはさらに、コンピュータプログラムを通して、以下のステップを実施するように構成されてもよい。すなわち、ステップＳ１では、ＵＥが、ソース基地局によって送信される無線リソース制御再構成メッセージを受信し、無線リソース制御再構成メッセージは、ＵＥによって条件付きハンドオーバを実施するための標的セルのリストを含み、条件付きハンドオーバを実施するための標的セルのリスト内の各標的セルの情報は、以下、すなわち、標的セルの周波数情報、標的セルの物理セル識別子、標的セルによって生成された標的セルの条件付きハンドオーバコマンド、または測定構成識別子情報のうちの少なくとも１つのうちの少なくとも１つを含み、測定構成識別子情報は、ＵＥが条件付きハンドオーバを標的セル内で実施するための実行条件を命令するために使用され、ステップＳ２では、ＵＥが、無線リソース制御再構成メッセージに従って、ハンドオーバを実施する。
【０１６２】
随意に、電子デバイスはさらに、下記に説明されるステップを実施するためのコンピュータプログラムを記憶するように構成される。
【０１６３】
ステップＳ１では、ソース基地局が、無線リソース制御再構成メッセージをＵＥに送信する。無線リソース制御再構成メッセージは、ＵＥによって条件付きハンドオーバを実施するための標的セルのリストを含む。条件付きハンドオーバを実施するための標的セルのリスト内の各標的セルの情報は、以下、すなわち、標的セルの周波数情報、標的セルの物理セル識別子、標的セルによって生成された標的セルの条件付きハンドオーバコマンド、または測定構成識別子情報のうちの少なくとも１つのうちの少なくとも１つを含む。測定構成識別子情報は、ＵＥが条件付きハンドオーバを標的セル内で実施するための実行条件を命令するために使用される。
【０１６４】
随意に、本実施形態における具体的実施例のために、前述の実施形態および随意の実装に説明される実施例が参照され得るが、これは、本実施形態では繰り返されない。
【０１６５】
明白なこととして、本開示のモジュールまたはステップが、少なくとも１つの汎用コンピューティングデバイスによって実装され得、単一のコンピューティングデバイス上に集中される、または複数のコンピューティングデバイスによって形成されるネットワークの中に分散され得ることが、当業者によって理解されるはずである。随意に、これらのモジュールまたはステップは、コンピューティングデバイスによって実行可能なプログラムコードによって実装され得る。したがって、これらのモジュールまたはステップは、記憶デバイスの中に記憶され、少なくとも１つのコンピューティングデバイスによって実行され得る。また、ある場合には、図示または説明されるステップは、本明細書に説明されるシーケンスと異なるシーケンスで実行され得る。代替として、これらのモジュールまたはステップはそれぞれ、集積回路モジュールに作製されることによって実装され得る、またはこれらのモジュールまたはステップの複数のものが、単一の集積回路モジュールに作製されることによって実装され得る。このように、本開示は、ハードウェアおよびソフトウェアのいかなる具体的な組み合わせにも限定されない。
【０１６６】
上記は、本開示の好ましい実施形態にすぎず、本開示を限定することは意図していない。当業者のために、本開示は、種々の修正および変形例を有し得る。本開示の範囲内で成されるいかなる修正、同等の代用、改良、および同等物も、本開示の範囲内にある。
【図１】
2021518726.tif 000003
【図２】
2021518726.tif 000004
【図３】
2021518726.tif 000005
【図４】
2021518726.tif 000006
【図５】
2021518726.tif 000007
【図６】
2021518726.tif 000008
【図７】
2021518726.tif 000009
【図８】
2021518726.tif 000010
【図９】
2021518726.tif 000011
【図１０】
2021518726.tif 000012
【図１１】
2021518726.tif 000013
【図１２】
2021518726.tif 000014
【図１３】
2021518726.tif 000015
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
方法であって、
ユーザ機器（ＵＥ）によって、ソース基地局から無線リソース制御（ＲＲＣ）再構成メッセージを受信することであって、前記ＲＲＣ再構成メッセージは、前記ＵＥによって条件付きハンドオーバを実施するための標的セルのリストと、前記標的セルのうちの各標的セルの情報とを含み、前記情報は、
前記標的セルによって生成された前記標的セルの条件付きハンドオーバコマンド、または、
前記ＵＥが前記標的セルへの条件付きハンドオーバを実施するための実行条件を示す測定構成識別子情報のうちの少なくとも１つ
のうちの少なくとも１つを含む、ことと、
前記ＵＥによって、前記ＲＲＣ再構成メッセージに従って、前記条件付きハンドオーバを実施することと
を含む、方法。
【請求項２】
前記標的セルの前記条件付きハンドオーバコマンドは、前記標的セルによって前記条件付きハンドオーバコマンドに配分されるＲＲＣメッセージトランザクション識別子を含む、請求項１に記載の方法。
【請求項３】
前記測定構成識別子情報のうちの前記少なくとも１つは、前記測定構成識別子情報のうちの２つを含む、請求項１に記載の方法。
【請求項４】
少なくとも前記標的セルのうちの第１の標的セルの測定結果が、前記測定構成識別子情報のうちの少なくとも１つと関連付けられる報告構成の報告条件を満たすことに応答して、前記ＵＥが前記第１の標的セルへの条件付きハンドオーバを実施するための実行条件が満たされたことを決定することと、
前記ＵＥによって、前記第１の標的セルへの前記条件付きハンドオーバを実施することと
を含む、請求項１に記載の方法。
【請求項５】
前記ＵＥが、無線リンク失敗がソースセル内で生じたことを決定することに応答して、前記ＵＥによって、前記標的セルのリストから第１の標的セルを選択することと、
前記ＵＥによって、前記第１の標的セルへの前記条件付きハンドオーバを実施することと
を含む、請求項１に記載の方法。
【請求項６】
前記ＵＥによって、前記ソース基地局から前記ＲＲＣ再構成メッセージを受信後、前記方法は、
前記ＵＥによって、ＲＲＣ再構成完了メッセージを前記ソース基地局に送信することを含み、
前記ＲＲＣ再構成完了メッセージは、前記ソース基地局によって前記ＲＲＣ再構成メッセージに配分されるＲＲＣメッセージトランザクション識別子を含む、請求項１に記載の方法。
【請求項７】
前記ＵＥによって、前記標的セルのうちの第１の標的セルに、前記第１の標的セルによって前記条件付きハンドオーバコマンドに配分されるＲＲＣメッセージトランザクション識別子を搬送するＲＲＣ再構成完了メッセージを送信することを含む、請求項１に記載の方法。
【請求項８】
ユーザ機器（ＵＥ）であって、
少なくとも１つのプロセッサであって、前記少なくとも１つのプロセッサは、
ソース基地局から無線リソース制御（ＲＲＣ）再構成メッセージを受信することであって、前記ＲＲＣ再構成メッセージは、前記ＵＥによって条件付きハンドオーバを実施するための標的セルのリストと、前記標的セルのうちの各標的セルの情報とを含み、前記情報は、
前記標的セルによって生成された前記標的セルの条件付きハンドオーバコマンド、または、
前記ＵＥが前記標的セルへの条件付きハンドオーバを実施するための実行条件を示す測定構成識別子情報のうちの少なくとも１つ
のうちの少なくとも１つを含む、ことと、
前記ＲＲＣ再構成メッセージに従って、前記条件付きハンドオーバを実施することと
を遂行するように構成されている、少なくとも１つのプロセッサ
を備える、ＵＥ。
【請求項９】
前記標的セルの前記条件付きハンドオーバコマンドは、前記標的セルによって前記条件付きハンドオーバコマンドに配分されるＲＲＣメッセージトランザクション識別子を含む、請求項８に記載のＵＥ。
【請求項１０】
前記測定構成識別子情報のうちの前記少なくとも１つは、前記測定構成識別子情報のうちの２つを含む、請求項８に記載のＵＥ。
【請求項１１】
前記少なくとも１つのプロセッサは、
少なくとも前記標的セルのうちの第１の標的セルの測定結果が、前記測定構成識別子情報のうちの少なくとも１つと関連付けられる報告構成の報告条件を満たすことに応答して、前記ＵＥが前記第１の標的セルへの条件付きハンドオーバを実施するための実行条件が満たされたことを決定することと、
前記第１の標的セルへの前記条件付きハンドオーバを実施することと
を遂行するように構成されている、請求項８に記載のＵＥ。
【請求項１２】
前記少なくとも１つのプロセッサは、
無線リンク失敗がソースセル内で生じたことを決定することに応答して、前記標的セルのリストから第１の標的セルを選択することと、
前記第１の標的セルへの前記条件付きハンドオーバを実施することと
を遂行するように構成されている、請求項８に記載のＵＥ。
【請求項１３】
前記少なくとも１つのプロセッサは、
前記ソース基地局から前記ＲＲＣ再構成メッセージを受信後、ＲＲＣ再構成完了メッセージを前記ソース基地局に送信すること
を遂行するように構成されており、
前記ＲＲＣ再構成完了メッセージは、前記ソース基地局によって前記ＲＲＣ再構成メッセージに配分されるＲＲＣメッセージトランザクション識別子を含む、請求項８に記載のＵＥ。
【請求項１４】
前記少なくとも１つのプロセッサは、
前記標的セルのうちの第１の標的セルに、前記第１の標的セルによって前記条件付きハンドオーバコマンドに配分されるＲＲＣメッセージトランザクション識別子を搬送するＲＲＣ再構成完了メッセージを送信すること
を遂行するように構成されている、請求項８に記載のＵＥ。
【請求項１５】
方法であって、
ソース基地局によって、ユーザ機器（ＵＥ）に無線リソース制御（ＲＲＣ）再構成メッセージを伝送することであって、
前記ＲＲＣ再構成メッセージは、前記ＵＥによって条件付きハンドオーバを実施するための標的セルのリストと、前記標的セルのうちの各標的セルの情報とを含み、前記情報は、
前記標的セルによって生成された前記標的セルの条件付きハンドオーバコマンド、または、
前記ＵＥが前記標的セルへの条件付きハンドオーバを実施するための実行条件を示す測定構成識別子情報のうちの少なくとも１つ
のうちの少なくとも１つを含み、
前記ＲＲＣ再構成メッセージは、前記ＵＥによって、前記条件付きハンドオーバを実施するために使用される、こと
を含む、方法。
【請求項１６】
前記標的セルの前記条件付きハンドオーバコマンドは、前記標的セルによって前記条件付きハンドオーバコマンドに配分されるＲＲＣメッセージトランザクション識別子を含む、請求項１５に記載の方法。
【請求項１７】
前記測定構成識別子情報のうちの前記少なくとも１つは、前記測定構成識別子情報のうちの２つを含む、請求項１５に記載の方法。
【請求項１８】
請求項１５〜１７のいずれか１項に記載の方法を遂行するように構成された少なくとも１つのプロセッサを備えるソース基地局。
【手続補正２】
【補正対象書類名】明細書
【補正対象項目名】００１４
【補正方法】変更
【補正の内容】
【００１４】
本開示によると、ＵＥは、ソース基地局によって送信される無線リソース制御再構成メッセージを受信し、無線リソース制御再構成メッセージは、ＵＥによって条件付きハンドオーバを実施するための標的セルのリストを含み、条件付きハンドオーバを実施するための標的セルのリスト内の各標的セルの情報は、以下、すなわち、標的セルの周波数情報、標的セルの物理セル識別子、標的セルによって生成された標的セルの条件付きハンドオーバコマンド、または測定構成識別子情報のうちの少なくとも１つのうちの少なくとも１つを含み、測定構成識別子情報のうちの少なくとも１つは、ＵＥが条件付きハンドオーバを標的セル内で実施し、ＵＥが無線リソース制御再構成メッセージに従ってハンドオーバを実施するための実行条件を命令するために使用される。すなわち、１つのみの標的セルが選択される、既存の条件付きハンドオーバと比較して、本開示では、標的セルのリストが、構成され、１つの標的セルが、複数の標的セルから選択され、したがって、関連技術における測定報告またはハンドオーバコマンドの伝送失敗によって引き起こされるハンドオーバ失敗の問題を解決し、モビリティ性能を改良する。
（項目１）
ハンドオーバ方法であって、
ユーザ機器（ＵＥ）によって、ソース基地局によって送信される無線リソース制御（ＲＲＣ）再構成メッセージを受信することであって、上記ＲＲＣ再構成メッセージは、上記ＵＥによって条件付きハンドオーバを実施するための標的セルのリストを含み、上記条件付きハンドオーバを実施するための上記標的セルのリスト内の各標的セルの情報は、以下、すなわち、上記標的セルの周波数情報、上記標的セルの物理セル識別子、上記標的セルによって生成された上記標的セルの条件付きハンドオーバコマンド、または測定構成識別子情報のうちの少なくとも１つのうちの少なくとも１つを含み、上記測定構成識別子情報のうちの少なくとも１つは、上記ＵＥが条件付きハンドオーバを上記標的セル内で実施するための実行条件を命令するために使用される、ことと、
上記ＵＥによって、上記ＲＲＣ再構成メッセージに従って、ハンドオーバを実施することと
を含む、方法。
（項目２）
上記標的セルの上記条件付きハンドオーバコマンドは、上記標的セルによって、インターフェースメッセージを通して、上記ソース基地局に送信され、
上記インターフェースメッセージは、標的セルの構成リストを含み、上記標的セルの構成リスト内の各標的セルの構成は、上記標的セルのセルグローバル識別子（ＣＧＩ）、上記標的セルの条件付きハンドオーバコマンド、および以下の情報、すなわち、上記標的セル上で正常に認められたプロトコルデータユニット（ＰＤＵ）セッション情報または上記標的セル上で正常に認められた進化型無線アクセスベアラ（Ｅ−ＲＡＢ）情報のうちの１つを含む、
項目１に記載の方法。
（項目３）
上記標的セルの上記条件付きハンドオーバコマンドは、上記標的セルによって上記条件付きハンドオーバコマンドに配分されるＲＲＣメッセージトランザクション識別子を含む、項目１に記載の方法。
（項目４）
上記条件付きハンドオーバを実施するための上記標的セルのリスト内の各標的セルの情報が、上記測定構成識別子情報のうちの少なくとも１つを含む場合、上記方法はさらに、
上記測定構成識別子情報のうちの少なくとも１つと関連付けられる測定対象構成内の上記標的セルのセル個々のオフセットを修正または増加させること
を含む、項目１に記載の方法。
（項目５）
上記条件付きハンドオーバを実施するための上記標的セルのリスト内の各標的セルの情報が、上記測定構成識別子情報のうちの少なくとも１つを含む場合、上記条件付きハンドオーバを実施するための上記標的セルのリスト内の各標的セルの情報はさらに、オフセットまたは閾値を含む、項目１に記載の方法。
（項目６）
上記ＵＥが、上記オフセットまたは上記閾値を受信する場合、上記方法はさらに、
上記ＵＥによって、上記オフセットを使用して、上記測定構成識別子情報のうちの少なくとも１つと関連付けられる測定対象構成内のオフセットを置換すること、または上記ＵＥによって、上記閾値を使用して、上記測定構成識別子情報のうちの少なくとも１つと関連付けられる測定対象構成内の閾値を置換すること、または
上記ＵＥによって、上記オフセットと上記測定構成識別子情報のうちの少なくとも１つと関連付けられる測定対象構成内のオフセットの和を計算すること、または上記ＵＥによって、上記閾値と上記測定構成識別子情報のうちの少なくとも１つと関連付けられる測定対象構成内の閾値の和を計算すること
を含む、項目５に記載の方法。
（項目７）
上記ＵＥによって、上記ソース基地局によって送信される上記ＲＲＣ再構成メッセージを受信する前に、上記方法はさらに、
上記ＵＥによって、上記ソース基地局によって同一測定イベントのために構成される少なくとも２つのパラメータのセットを受信することを含む、または
上記方法はさらに、
上記ＵＥによって、上記ソース基地局によって同一測定イベントのために構成され、上記ＲＲＣ再構成メッセージ内で搬送される、少なくとも２つのパラメータのセットを受信することを含み、
上記２つのパラメータのセットは、パラメータの第１のセットと、パラメータの第２のセットとを含み、上記パラメータの第１のセットは、上記ＵＥに、条件付きハンドオーバを実施するように命令するために使用され、上記パラメータの第２のセットは、上記ＵＥに、非条件付きハンドオーバを実施するように命令するために使用される、項目１に記載の方法。
（項目８）
上記ＵＥによって、上記ＲＲＣ再構成メッセージに従って、上記ハンドオーバを実施することは、
上記ＲＲＣ再構成メッセージ内に含まれる少なくとも１つの標的セルの測定結果が、上記測定構成識別子情報のうちの少なくとも１つと関連付けられる報告構成の報告条件を満たす場合、上記ＵＥが標的セル内で条件付きハンドオーバを実施するための実行条件が満たされたことを決定することと、
上記ＵＥによって、上記標的セルへのハンドオーバを実施することと
を含む、項目１に記載の方法。
（項目９）
上記ＵＥによって、上記ソース基地局によって送信される上記ＲＲＣ再構成メッセージを受信後、上記方法はさらに、
上記ＵＥが、ビーム回収失敗または無線リンク失敗がソースセル内で生じていることを決定する場合、上記ＵＥによって、上記標的セルのリストから１つの標的セルを選択することと、
上記ＵＥによって、上記標的セルへのハンドオーバを実施することと
を含む、項目１に記載の方法。
（項目１０）
上記ＵＥによって、上記ソース基地局によって送信される上記ＲＲＣ再構成メッセージを受信後、上記方法はさらに、
上記ＵＥによって、ＲＲＣ再構成完了メッセージを上記ソース基地局に返信することを含み、
上記ＲＲＣ再構成完了メッセージは、上記ソース基地局によって上記ＲＲＣ再構成メッセージに配分される、ＲＲＣメッセージトランザクション識別子を搬送する、項目１に記載の方法。
（項目１１）
上記ＵＥが、上記ＲＲＣ再構成メッセージに従って、上記ハンドオーバを実施する場合、上記方法はさらに、
上記ＵＥによって、標的セルに、上記標的セルによって上記条件付きハンドオーバコマンドに配分されるＲＲＣメッセージトランザクション識別子を搬送するＲＲＣ再構成完了メッセージを返信することを含む、項目１に記載の方法。
（項目１２）
ハンドオーバ方法であって、
ソース基地局によって、無線リソース制御（ＲＲＣ）再構成メッセージをユーザ機器（ＵＥ）に送信することであって、上記ＲＲＣ再構成メッセージは、上記ＵＥによって条件付きハンドオーバを実施するための標的セルのリストを含み、上記条件付きハンドオーバを実施するための上記標的セルのリスト内の各標的セルの情報は、以下、すなわち、上記標的セルの周波数情報、上記標的セルの物理セル識別子、上記標的セルによって生成された上記標的セルの条件付きハンドオーバコマンド、または測定構成識別子情報のうちの少なくとも１つのうちの少なくとも１つを含み、上記測定構成識別子情報のうちの少なくとも１つは、上記ＵＥが条件付きハンドオーバを上記標的セル内で実施するための実行条件を命令するために使用される、こと
を含む、方法。
（項目１３）
上記標的セルの上記条件付きハンドオーバコマンドは、上記標的セルによって、インターフェースメッセージを通して、上記ソース基地局に送信され、
上記インターフェースメッセージは、標的セルの構成リストを含み、上記標的セルの構成リスト内の各標的セルの構成は、上記標的セルのセルグローバル識別子（ＣＧＩ）、上記標的セルの条件付きハンドオーバコマンド、および以下の情報、すなわち、上記標的セル上で正常に認められたプロトコルデータユニット（ＰＤＵ）セッション情報または上記標的セル上で正常に認められた進化型無線アクセスベアラ（Ｅ−ＲＡＢ）情報のうちの１つを含む、項目１２に記載の方法。
（項目１４）
標的セルが、上記ＵＥによって送信されるサウンディング基準信号（ＳＲＳ）を受信後、条件付きハンドオーバコマンド内に構成される上記標的セルのアップリンクグラントは、有効化状態を開始する、または上記標的セルがスケジューリングを開始することを可能にすること、または
標的セルが、上記ＲＲＣ再構成メッセージを生成後、タイマを開始し、上記タイマが切れた後、条件付きハンドオーバコマンド内に構成される上記標的セルのアップリンクグラントは、有効化状態を開始する、または上記標的セルがスケジューリングを開始することを可能にすること
をさらに含む、項目１２に記載の方法。
（項目１５）
ユーザ機器（ＵＥ）に適用されるハンドオーバ装置であって、
上記ＵＥがソース基地局によって送信される無線リソース制御（ＲＲＣ）再構成メッセージを受信するために構成される受信モジュールであって、上記ＲＲＣ再構成メッセージは、上記ＵＥによって条件付きハンドオーバを実施するための標的セルのリストを含み、上記条件付きハンドオーバを実施するための上記標的セルのリスト内の各標的セルの情報は、以下、すなわち、上記標的セルの周波数情報、上記標的セルの物理セル識別子、上記標的セルによって生成された上記標的セルの条件付きハンドオーバコマンド、または測定構成識別子情報のうちの少なくとも１つのうちの少なくとも１つを含み、上記測定構成識別子情報のうちの少なくとも１つは、上記ＵＥが条件付きハンドオーバを上記標的セル内で実施するための実行条件を命令するために使用される、受信モジュールと、
上記ＲＲＣ再構成メッセージに従って、ハンドオーバを実施するように構成される、ハンドオーバモジュールと
を備える、ハンドオーバ装置。
（項目１６）
基地局に適用されるハンドオーバ装置であって、
無線リソース制御（ＲＲＣ）再構成メッセージをユーザ機器（ＵＥ）に送信するように構成されるハンドオーバモジュールであって、上記ＲＲＣ再構成メッセージは、上記ＵＥによって条件付きハンドオーバを実施するための標的セルのリストを含み、上記条件付きハンドオーバを実施するための上記標的セルのリスト内の各標的セルの情報は、以下、すなわち、上記標的セルの周波数情報、上記標的セルの物理セル識別子、上記標的セルによって生成された上記標的セルの条件付きハンドオーバコマンド、または測定構成識別子情報のうちの少なくとも１つのうちの少なくとも１つを含み、上記測定構成識別子情報のうちの少なくとも１つは、上記ＵＥが条件付きハンドオーバを上記標的セル内で実施するための実行条件を命令するために使用される、ハンドオーバモジュール
を備える、ハンドオーバ装置。
（項目１７）
コンピュータプログラムを記憶する記憶媒体であって、上記コンピュータプログラムは、実行されると、項目１−１１または項目１２−１４のいずれか１項に記載の方法を実施するように構成される、記憶媒体。
（項目１８）
メモリと、プロセッサとを備える電子デバイスであって、上記メモリは、コンピュータプログラムを記憶し、上記プロセッサは、上記コンピュータプログラムを実行し、項目１−１１または項目１２−１４のいずれか１項に記載の方法を実施するように構成される、電子デバイス。
【手続補正書】
【提出日】令和3年4月8日(2021.4.8)
【手続補正１】
【補正対象書類名】特許請求の範囲
【補正対象項目名】全文
【補正方法】変更
【補正の内容】
【特許請求の範囲】
【請求項１】
方法であって、
ユーザ機器（ＵＥ）によって、ソース基地局から無線リソース制御（ＲＲＣ）再構成メッセージを受信することであって、前記ＲＲＣ再構成メッセージは、前記ＵＥによって条件付きハンドオーバを実施するための標的セルのリストと、前記標的セルのうちの各標的セルの情報とを含み、前記情報は、
前記標的セルによって生成された前記標的セルの条件付きハンドオーバコマンドと、
前記ＵＥが前記標的セルへの条件付きハンドオーバを実施するための実行条件を示す測定構成識別子情報のうちの少なくとも１つと
を含む、ことと、
前記ＵＥによって、前記ＲＲＣ再構成メッセージに従って、前記条件付きハンドオーバを実施することと
を含む、方法。
【請求項２】
前記標的セルの前記条件付きハンドオーバコマンドは、前記標的セルによって前記条件付きハンドオーバコマンドに配分されるＲＲＣメッセージトランザクション識別子を含む、請求項１に記載の方法。
【請求項３】
前記測定構成識別子情報のうちの前記少なくとも１つは、前記測定構成識別子情報のうちの２つを含む、請求項１に記載の方法。
【請求項４】
少なくとも前記標的セルのうちの第１の標的セルの測定結果が、前記測定構成識別子情報のうちの少なくとも１つと関連付けられる報告構成の報告条件を満たすことに応答して、前記ＵＥが前記第１の標的セルへの条件付きハンドオーバを実施するための実行条件が満たされたことを決定することと、
前記ＵＥによって、前記第１の標的セルへの前記条件付きハンドオーバを実施することと
を含む、請求項１に記載の方法。
【請求項５】
前記ＵＥが、無線リンク失敗がソースセル内で生じたことを決定することに応答して、前記ＵＥによって、前記標的セルのリストから第１の標的セルを選択することと、
前記ＵＥによって、前記第１の標的セルへの前記条件付きハンドオーバを実施することと
を含む、請求項１に記載の方法。
【請求項６】
前記ＵＥによって、前記ソース基地局から前記ＲＲＣ再構成メッセージを受信後、前記方法は、
前記ＵＥによって、ＲＲＣ再構成完了メッセージを前記ソース基地局に送信することを含み、
前記ＲＲＣ再構成完了メッセージは、前記ソース基地局によって前記ＲＲＣ再構成メッセージに配分されるＲＲＣメッセージトランザクション識別子を含む、請求項１に記載の方法。
【請求項７】
前記ＵＥによって、前記標的セルのうちの第１の標的セルに、前記第１の標的セルによって前記条件付きハンドオーバコマンドに配分されるＲＲＣメッセージトランザクション識別子を搬送するＲＲＣ再構成完了メッセージを送信することを含む、請求項１に記載の方法。
【請求項８】
ユーザ機器（ＵＥ）であって、
少なくとも１つのプロセッサであって、前記少なくとも１つのプロセッサは、
ソース基地局から無線リソース制御（ＲＲＣ）再構成メッセージを受信することであって、前記ＲＲＣ再構成メッセージは、前記ＵＥによって条件付きハンドオーバを実施するための標的セルのリストと、前記標的セルのうちの各標的セルの情報とを含み、前記情報は、
前記標的セルによって生成された前記標的セルの条件付きハンドオーバコマンドと、
前記ＵＥが前記標的セルへの条件付きハンドオーバを実施するための実行条件を示す測定構成識別子情報のうちの少なくとも１つと
を含む、ことと、
前記ＲＲＣ再構成メッセージに従って、前記条件付きハンドオーバを実施することと
を遂行するように構成されている、少なくとも１つのプロセッサ
を備える、ＵＥ。
【請求項９】
前記標的セルの前記条件付きハンドオーバコマンドは、前記標的セルによって前記条件付きハンドオーバコマンドに配分されるＲＲＣメッセージトランザクション識別子を含む、請求項８に記載のＵＥ。
【請求項１０】
前記測定構成識別子情報のうちの前記少なくとも１つは、前記測定構成識別子情報のうちの２つを含む、請求項８に記載のＵＥ。
【請求項１１】
前記少なくとも１つのプロセッサは、
少なくとも前記標的セルのうちの第１の標的セルの測定結果が、前記測定構成識別子情報のうちの少なくとも１つと関連付けられる報告構成の報告条件を満たすことに応答して、前記ＵＥが前記第１の標的セルへの条件付きハンドオーバを実施するための実行条件が満たされたことを決定することと、
前記第１の標的セルへの前記条件付きハンドオーバを実施することと
を遂行するように構成されている、請求項８に記載のＵＥ。
【請求項１２】
前記少なくとも１つのプロセッサは、
無線リンク失敗がソースセル内で生じたことを決定することに応答して、前記標的セルのリストから第１の標的セルを選択することと、
前記第１の標的セルへの前記条件付きハンドオーバを実施することと
を遂行するように構成されている、請求項８に記載のＵＥ。
【請求項１３】
前記少なくとも１つのプロセッサは、
前記ソース基地局から前記ＲＲＣ再構成メッセージを受信後、ＲＲＣ再構成完了メッセージを前記ソース基地局に送信すること
を遂行するように構成されており、
前記ＲＲＣ再構成完了メッセージは、前記ソース基地局によって前記ＲＲＣ再構成メッセージに配分されるＲＲＣメッセージトランザクション識別子を含む、請求項８に記載のＵＥ。
【請求項１４】
前記少なくとも１つのプロセッサは、
前記標的セルのうちの第１の標的セルに、前記第１の標的セルによって前記条件付きハンドオーバコマンドに配分されるＲＲＣメッセージトランザクション識別子を搬送するＲＲＣ再構成完了メッセージを送信すること
を遂行するように構成されている、請求項８に記載のＵＥ。
【請求項１５】
方法であって、
ソース基地局によって、ユーザ機器（ＵＥ）に無線リソース制御（ＲＲＣ）再構成メッセージを伝送することであって、
前記ＲＲＣ再構成メッセージは、前記ＵＥによって条件付きハンドオーバを実施するための標的セルのリストと、前記標的セルのうちの各標的セルの情報とを含み、前記情報は、
前記標的セルによって生成された前記標的セルの条件付きハンドオーバコマンドと、
前記ＵＥが前記標的セルへの条件付きハンドオーバを実施するための実行条件を示す測定構成識別子情報のうちの少なくとも１つと
を含み、
前記ＲＲＣ再構成メッセージは、前記ＵＥによって、前記条件付きハンドオーバを実施するために使用される、こと
を含む、方法。
【請求項１６】
前記標的セルの前記条件付きハンドオーバコマンドは、前記標的セルによって前記条件付きハンドオーバコマンドに配分されるＲＲＣメッセージトランザクション識別子を含む、請求項１５に記載の方法。
【請求項１７】
前記測定構成識別子情報のうちの前記少なくとも１つは、前記測定構成識別子情報のうちの２つを含む、請求項１５に記載の方法。
【請求項１８】
請求項１５〜１７のいずれか１項に記載の方法を遂行するように構成された少なくとも１つのプロセッサを備えるソース基地局。
【国際調査報告】
2021518726.tif 000016
2021518726.tif 000017
2021518726.tif 000018
2021518726.tif 000019